(57)【要約】【課題】製造上の管理が容易で、しかも、操作上の認識性および接続の信頼性の高いＦＰＣ用コネクタとその製造方法を提供する。【解決手段】ハウジング２０と、加圧部材４０と、偶数極の端子および奇数極の端子６０Ｂとで構成されているＦＰＣ８０のためのコネクタである。加圧部材４０が各端子の上腕ビーム６８を介して嵌め合いの状態で組み付けられている。加圧部材４０は、ＦＰＣ８０を挿入可能とする第１の位置と接続状態となる第２の位置の間で姿勢変化が可能である。この時、加圧部材４０に設けたピン部４７が、上腕ビーム６８に形成した上方切欠部７４内で、傾斜下縁７４ｃに沿って円弧下縁７４ｂ側に移動するステップと、前縁７４ａに押し付けられて反力を受けるステップと、前縁７４ａに沿って上方に移動するステップを伴って移動する。【選択図】　図２
2004022539.tif 000002
【特許請求の範囲】
【請求項１】
内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えており、
前記複数の端子（６０Ａ、６０Ｂ）が、ハウジング（２０）の上側壁（２１）の下側に沿って挿入端（２５）方向に延びて、先端部がＦＰＣ受入空洞（２３）に突出し、上方への変位が上側壁（２１）で制限されている上腕ビーム（６２、６８）を有しており、且つ、複数の端子のうちの偶数若しくは奇数極の端子（６０Ａ）の上腕ビーム（６２）は、先端部下縁が挿入端（２５）方向へ延びるカム係合縁（６２ａ）とされ、奇数若しくは偶数極の端子（６０Ｂ）の上腕ビーム（６８）は、先端部上縁に、略垂直の前縁（７４ａ）と略垂直の後縁（７４ｂ）と、前縁（７４ａ）と後縁（７４ｂ）の間を連続させる円弧下縁（７４ｄ）と傾斜下縁（７４ｃ）とで画成された上方開放切欠部（７４）が設けられ、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられており、
カム係合縁（６２ａ）とカム部（４６）の係合と、上方開放切欠部（７４）とピン部（４７）の遊合によって、加圧部材（４０）は、ＦＰＣ受入空洞（２３）へＦＰＣ（８０）を挿入可能とする第１の位置と、挿入されたＦＰＣ（８０）の接点とコンタクト片（６４、６５、７１、７２）のコンタクト部（６４ａ、６５ａ、７１ａ、７２ａ）を所定の接圧で係合させる第２の位置の間で姿勢変化が可能とされ、
この第１の位置から第２の位置への加圧部材（４０）の姿勢変化の過程では、カム係合縁（６２ａ）とカム部（４６）の係合が、カム部（４６）の長辺の面（４６ｂ）から角部（４６ｃ）に移行すると共に、ピン部（４７）が上方開放切欠部（７４）内で、傾斜下縁（７４ｃ）に沿って円弧下縁（７４ｂ）側に移動するステップと、上方開放切欠部（７４）内で、ピン部（４７）が前縁（７４ａ）に押し付けられて反力を受けると共に、この反力によってカム部（４６）の角部（４６ｃ）がカム係合縁（６２ａ）に沿って後方へ移動するステップと、カム係合縁（６２ａ）とカム部（４６）の係合が、カム部（４６）の角部（４６ｃ）から短辺の面（４６ａ）に移行すると共に、ピン部（４７）が上方開放切欠部（７４）内で前縁（７４ａ）に沿って上方に移動するステップが含まれるようにしたことを特徴とするＦＰＣ用コネクタ。
【請求項２】
カム係合縁（６２ａ）は、カム部（４６）の角部（４６ｃ）の移動を制限する段部（６２ｂ）が設けられている請求項１に記載のＦＰＣ用コネクタ。
【請求項３】
カム部（４６）の長辺の面（４６ｂ）は、段部（６２ｂ）が設けられたカム係合縁（６２ａ）に対応させた面に形成されている請求項２に記載のＦＰＣ用コネクタ。
【請求項４】
加圧部材（４０）が第１の位置の時、コンタクト片（６４、６５、７１、７２）に沿ってＦＰＣ（８０）をゼロ挿入力で挿入できる間隙が形成されている請求項１〜３のいずれかに記載のＦＰＣ用コネクタ。
【請求項５】
加圧部材（４０）は、第２の位置でＦＰＣ（８０）に当接して押し下げる加圧面（４９）が設けられているＦＰＣ用コネクタ。
【請求項６】
内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えており、
前記複数の端子（６０Ａ、６０Ｂ）が、ハウジング（２０）の上側壁（２１）の下側に沿って挿入端（２５）方向に延びて、先端部がＦＰＣ受入空洞（２３）に突出し、上方への変位が上側壁（２１）で制限されている上腕ビーム（６２、６８）を有しており、且つ、複数の端子のうちの偶数若しくは奇数極の端子（６０Ａ）の上腕ビーム（６２）は、先端部下縁が挿入端（２５）方向へ延びるカム係合縁（６２ａ）とされ、奇数若しくは偶数極の端子（６０Ｂ）の上腕ビーム（６８）は、先端部上縁に上方開放切欠部（７４）が設けられ、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられており、
カム係合縁（６２ａ）とカム部（４６）の係合と、上方開放切欠部（７４）とピン部（４７）の遊合によって、加圧部材（４０）は、ＦＰＣ受入空洞（２３）へＦＰＣ（８０）を挿入可能とする第１の位置と、挿入されたＦＰＣ（８０）の接点とコンタクト片（６４、６５、７１、７２）のコンタクト部（６４ａ、６５ａ、７１ａ、７２ａ）を所定の接圧で係合させる第２の位置の間で姿勢変化が可能とされていると共に、
前記加圧部材（４０）は、ハウジング（２０）に対して上方への移動が、下側縁をカム係合縁（６２ａ）とされた上腕ビーム（６２）で制限され、ハウジング（２０）に対して前後および下方への移動が、上側縁に上方解放切欠部（７４）を設けた上腕ビーム（６８）で制限され、第１の位置と第２の位置の間における姿勢変化の際にハウジング（２０）から脱落しないようにされていることを特徴とするＦＰＣ用コネクタ。
【請求項７】
前記加圧部材（４０）の上方への移動は、カム係合縁（６２ａ）の下側にカム部（４６）を係合させて制限されている請求項６に記載のＦＰＣ用コネクタ。
【請求項８】
前記加圧部材（４０）の前後および下方への移動は、上方開放切欠部（７４）にピン部（４７）を遊合させて制限されている請求項６に記載のＦＰＣ用コネクタ。
【請求項９】
内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えており、
前記複数の端子（６０Ａ、６０Ｂ）が、ハウジング（２０）の上側壁（２１）の下側に沿って挿入端（２５）方向に延びて、先端部がＦＰＣ受入空洞（２３）に突出し、上方への変位が上側壁（２１）で制限されている上腕ビーム（６２、６８）を有しており、且つ、複数の端子のうちの偶数若しくは奇数極の端子（６０Ａ）の上腕ビーム（６２）は、先端部下縁が挿入端（２５）方向へ延びるカム係合縁（６２ａ）とされ、奇数若しくは偶数極の端子（６０Ｂ）の上腕ビーム（６８）は、先端部上縁に上方開放切欠部（７４）が設けられ、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられており、
カム係合縁（６２ａ）とカム部（４６）の係合と、上方開放切欠部（７４）とピン部（４７）の遊合によって、加圧部材（４０）は、ＦＰＣ受入空洞（２３）へＦＰＣ（８０）を挿入可能とする第１の位置と、挿入されたＦＰＣ（８０）の接点とコンタクト片（６４、６５、７１、７２）のコンタクト部（６４ａ、６５ａ、７１ａ、７２ａ）を所定の接圧で係合させる第２の位置の間で姿勢変化が可能とされていると共に、
前記加圧部材（４０）は、先端部に上方開放切欠部（７４）が形成された上腕ビーム（６８）を有する端子（６０Ｂ）がハウジング（２０）に装着された後に組み付けられ、且つ、先端部下縁をカム係合縁（６２ａ）とした上腕ビーム（６２）を有する端子（６０Ａ）は、加圧部材（４０）が組み付けられた後にハウジング（２０）に装着されており、加圧部材（４０）は嵌め合い状態となってハウジング（２０）から脱落しないようにされているＦＰＣ用コネクタ。
【請求項１０】
内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えたＦＰＣ用コネクタの製造方法であって、
前記複数の端子（６０Ａ、６０Ｂ）は、ハウジング（２０）の上側壁（２１）の下側に沿って挿入端（２５）方向に延びて、先端部がＦＰＣ受入空洞（２３）に突出し、上方への変位が上側壁（２１）で制限される上腕ビーム（６２、６８）を有したものとし、且つ、複数の端子のうちの偶数若しくは奇数極の端子（６０Ａ）の上腕ビーム（６２）は、先端部下縁を挿入端方向へ延びるカム係合縁（６２ａ）とし、奇数若しくは偶数極の端子（６０Ｂ）の上腕ビーム（６８）は、先端部上縁に上方開放切欠部（７４）を設けたものとし、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられたものとし、
前記上方開放切欠部（７４）が上腕ビーム（６８）に設けられた端子（６０Ｂ）がハウジング（２０）に装着された後に前記加圧部材（４０）が組み付けられ、加圧部材（４０）が組み付けられた後に下縁をカム係合縁（６２ａ）とした上腕ビーム（６２）を有する端子（６０Ａ）がハウジング（２０）に装着されることを特徴とするＦＰＣ用コネクタの製造方法。
【請求項１１】
加圧部材（４０）の組み付けは、ハウジング（２０）と略平行にしてハウジング（２０）の上方から組み付けられる請求項１０に記載のＦＰＣ用コネクタの製造方法。
【請求項１２】
下縁をカム係合縁（６２ａ）とした上腕ビーム（６２）を有する端子（６０Ａ）がハウジング（２０）に装着された後は、加圧部材（４０）の組み付け状態は解除できない請求項１０に記載のＦＰＣ用コネクタの製造方法。
【発明の詳細な説明】
【０００１】
【発明の属する技術分野】
この発明は、一般にＦＰＣ、ＦＦＣなどと呼ばれている平形柔軟ケーブル（この明細書でもこれらを代表して単に「ＦＰＣ」という。）を接続する為のＦＰＣ用コネクタとその製造方法に関する。
【０００２】
【従来の技術】
従来、このようなＦＰＣ用コネクタの場合、絶縁性のプラスチックで成形したハウジングと、薄金属板を打ち抜いて形成された端子と、端子のコンタクト片とＦＰＣの接点を所定の接圧（当接圧）で加圧係合させる為の加圧部材とを備えている。この加圧部材も絶縁性のプラスチックで成形される。ハウジングには、内部にＦＰＣ受入空洞が設けられ、これと連通する開口部が挿入端および挿入端側上部に形成されて、ＦＰＣをＦＰＣ受入空洞へ挿入端から挿入できるようにしている。端子は複数とされ、所定のピッチの横並びでハウジングに装着される。各端子にはコンタクト片が設けられ、端子をハウジングに装着するとコンタクト片がＦＰＣ受入空洞に片持梁状となって臨むようにしている。
【０００３】
加圧部材は、ハウジングに形成した開口部に設けられ、ＦＰＣ受入空洞にＦＰＣを挿入可能とする第１の位置と、挿入されたＦＰＣの接点と端子のコンタクト片に形成されたコンタクト部を所定の接圧で加圧係合させる第２の位置の間で姿勢変化が可能にされる。この加圧部材は、カム部や加圧突部が設けられて、加圧部材の姿勢変化によって、カム部や加圧突部が、挿入されているＦＰＣをコンタクト片に向けて押圧付勢するようにしている。
【０００４】
加圧部材の姿勢変化は、通常、加圧部材を回動軸の回りで回動させることによって行われ、この為、加圧部材とハウジングの間や、加圧部材と端子に設けた支持ビームの間で、一方に回動軸を設け、他方に軸受部を設けて互いに係合させている。
【０００５】
図３０〜３２は、特開２０００−４８８８６号公報で開示されているＦＰＣ用コネクタである。図において、３００がハウジングであり、３０１が加圧部材である。このＦＰＣ用コネクタでは、図３１に表れているように、加圧部材３０１に回動軸３０２が設けられ、ハウジング３００側に設けられた軸受部（図示されていない）に支持されて、加圧部材３０１が図３２の第１の位置と図３０、３１の第２の位置の間で回動できるよにされている。図３２に表れているように、加圧部材３０１にはカム部３０３が設けられて、端子３０４の支持ビーム３０５と係合させてあり、加圧部材３０１を第２の位置に回動させると、カム部３０３がＦＰＣをコンタクト片３０６側に押圧付勢するようにしている。
【０００６】
また、図３３、３４は、特許第２５８００７４号公報で開示されているＦＰＣ用コネクタである。このＦＰＣ用コネクタのハウジング４００に形成した半円状の軸受部４０１に、加圧部材４０２の回動軸４０３を係合させて、加圧部材４０２が回動軸４０３の回りで回動できるようにされている。この場合更に、端子４０４の支持ビーム４０５に回動支持部４０６が形成されて、加圧部材４０２に凹入形成された断面円弧状の回動溝部４０７と係合させている。加圧部材４０２には加圧突部４０８が設けられ、加圧部材４０２を図２２の第１の位置から矢示４０９の方向に約９０度回動させて第２の位置へと姿勢を変化させると、加圧突部４０８がＦＰＣ４１０を端子４０４のコンタクト片４１１へ向けて押圧付勢するようにしている。
【０００７】
更に、図３５、３６は、特許第２８９２９４５号公報で開示されているＦＰＣ用コネクタである。このＦＰＣ用コネクタも加圧部材５００の両端面に設けた回動軸５０１をハウジング５０２側の軸受部（図示されていない）に係合させて、加圧部材５００が回動できるようにされている。また、図３６に示されているように、加圧部材５００には更に別の回動軸５０３が設けられ、端子５０４の支持ビーム５０５に形成した円弧状の回動支持部５０６と係合させている。加圧部材５００には加圧突部５０７も設けられている。加圧部材５００を図３６の鎖線で示された第１の位置から矢示５０８の方向へ回動させて実線で示された中間位置を経て第２の位置まで回動軸５０１、５０３の回りで回動させると、加圧突部５０７がＦＰＣ５０８を端子５０４のコンタクト片５０９に向けて押圧付勢するようにしている。
【０００８】
【発明が解決しようとする課題】
このように、従来のＦＰＣ用コネクタでは、加圧部材とハウジングおよび／または端子を回動軸と軸受部で係合させて、加圧部材を回動軸の回りで回動させて前記第１の位置と第２の位置の間で姿勢変化をするようにしていた。この為、回動軸と軸受部は隙間の無い嵌合状態で係合させる必要があり、各部品の製造および組立の管理を難しくしていた。回動軸と軸受部の工作精度には限界があり、通常の製造誤差（５／１００ｍｍ程度）はやむを得ないとしても、回動軸と軸受部の嵌合状態が、隙間のあるいわゆるガタガタの状態では、加圧部材によってＦＰＣを端子のコンタクト片へ向けて適正に押圧することが難しく、接続用コネクタとしての性能が十分に得られないものであった。
【０００９】
また、加圧部材を回動によって姿勢変化させてＦＰＣの接続を行う従来のＦＰＣ用コネクタには、接続完了時のクリック感を得ることが難しく、ＦＰＣが正しく接続されたか否かの認識性が乏しいという問題もあった。加えて、正しく接続ができても、ＦＰＣの引き回し等によって加圧部材が接続時と反対の方向へ簡単に回動するので、接続の信頼性が損なわれるという問題点もあった。このクリック感や加圧部材の意に反する回動の防止の為に、加圧部材に設けられる前記カム部や加圧突部が、加圧部材の第２の位置では、ＦＰＣを押圧する力の最大の位置を越えた位置まで回動するように構成することが行われているが、十分なクリック感は得られていなかったし、確実な回動防止はできていなかった。
【００１０】
この発明は以上のような問題点に鑑みてなされたもので、製造上の管理が容易で、しかも、操作上の認識性および接続の信頼性の高いＦＰＣ用コネクタとその製造方法を提供することを目的としている。
【００１１】
【課題を解決するための手段】
前記の目的のもとになされたこの発明は、内部にＦＰＣ受入空洞が設けられたハウジングであって、挿入端および挿入端側上側にＦＰＣ受入空洞と連通する開口部が形成されたハウジングと、
ハウジングに所定のピッチの横並びで装着され、各々のコンタクト片が前記ＦＰＣ受入空洞に臨んでいる複数の端子と、
前記ＦＰＣ受入空洞に挿入されたＦＰＣの接点と前記コンタクト片のコンタクト部を所定の接圧で係合させるための加圧部材とを備えており、
前記複数の端子が、ハウジングの上側壁の下側に沿って挿入端方向に延びて、先端部がＦＰＣ受入空洞に突出し、上方への変位が上側壁で制限されている上腕ビームを有しており、且つ、複数の端子のうちの偶数若しくは奇数極の端子の上腕ビームは、先端部下縁が挿入端方向へ延びるカム係合縁とされ、奇数若しくは偶数極の端子の上腕ビームは、先端部上縁に、略垂直の前縁と略垂直の後縁と、前縁と後縁の間を連続させる円弧下縁と傾斜下縁とで画成された上方開放切欠部が設けられ、
一方、前記加圧部材は、前記カム係合縁の下側に係合する断面が略長方形のカム部と、前記上方開放切欠部内に遊合するピン部とが、交互に設けられており、カム係合縁とカム部の係合と、上方開放切欠部とピン部の遊合によって、加圧部材は、ＦＰＣ受入空洞へＦＰＣを挿入可能とする第１の位置と、挿入されたＦＰＣの接点とコンタクト片のコンタクト部を所定の接圧で係合させる第２の位置の間で姿勢変化が可能とされ、
この第１の位置から第２の位置への加圧部材の姿勢変化の過程では、カム係合縁とカム部の係合が、カム部の長辺の面から角部に移行すると共に、ピン部が上方開放切欠部内で、傾斜下縁に沿って円弧下縁側に移動するステップと、上方開放切欠部内で、ピン部が前縁に押し付けられて反力を受けると共に、この反力によってカム部の角部がカム係合縁に沿って後方へ移動するステップと、カム係合縁とカム部の係合が、カム部の角部から短辺の面に移行すると共に、ピン部が上方開放切欠部内で前縁に沿って上方に移動するステップが含まれるようにしたことを特徴とするＦＰＣ用コネクタである。
【００１２】
また、上記と同様のハウジングと、複数の端子と、加圧部材とを備えており、前記複数の端子が、ハウジングの上側壁の下側に沿って挿入端方向に延びて、先端部がＦＰＣ受入空洞に突出し、上方への変位が上側壁で制限されている上腕ビームを有しており、且つ、複数の端子のうちの偶数若しくは奇数極の端子の上腕ビームは、先端部下縁が挿入端方向へ延びるカム係合縁とされ、奇数若しくは偶数極の端子の上腕ビームは、先端部上縁に上方開放切欠部が設けられ、
一方、前記加圧部材は、前記カム係合縁の下側に係合する断面が略長方形のカム部と、前記上方開放切欠部内に遊合するピン部とが、交互に設けられており、カム係合縁とカム部の係合と、上方開放切欠部とピン部の遊合によって、加圧部材は、ＦＰＣ受入空洞へＦＰＣを挿入可能とする第１の位置と、挿入されたＦＰＣの接点とコンタクト片のコンタクト部を所定の接圧で係合させる第２の位置の間で姿勢変化が可能とされていると共に、
前記加圧部材は、ハウジングに対して上方への移動が、下側縁をカム係合縁とされた上腕ビームで制限され、ハウジングに対して前後および下方への移動が、上側縁に上方解放切欠部を設けた上腕ビームで制限され、第１の位置と第２の位置の間における姿勢変化の際にハウジングから脱落しないようにされていることを特徴とするＦＰＣ用コネクタである。
【００１３】
更には、上記と同様のハウジングと、複数の端子と、加圧部材とを備えており、前記複数の端子が、ハウジングの上側壁の下側に沿って挿入端方向に延びて、先端部がＦＰＣ受入空洞に突出し、上方への変位が上側壁で制限されている上腕ビームを有しており、且つ、複数の端子のうちの偶数若しくは奇数極の端子の上腕ビームは、先端部下縁が挿入端方向へ延びるカム係合縁とされ、奇数若しくは偶数極の端子の上腕ビームは、先端部上縁に上方開放切欠部が設けられ、
一方、前記加圧部材は、前記カム係合縁の下側に係合する断面が略長方形のカム部と、前記上方開放切欠部内に遊合するピン部とが、交互に設けられており、カム係合縁とカム部の係合と、上方開放切欠部とピン部の遊合によって、加圧部材は、ＦＰＣ受入空洞へＦＰＣを挿入可能とする第１の位置と、挿入されたＦＰＣの接点とコンタクト片のコンタクト部を所定の接圧で係合させる第２の位置の間で姿勢変化が可能とされていると共に、
前記加圧部材は、先端部に上方開放切欠部が形成された上腕ビームを有する端子がハウジングに装着された後に組み付けられ、且つ、先端部下縁をカム係合縁とした上腕ビームを有する端子は、加圧部材が組み付けられた後にハウジングに装着されており、加圧部材は嵌め合い状態となってハウジングから脱落しないようにされているＦＰＣ用コネクタである。
【００１４】
また、ＦＰＣ用コネクタの製造方法は、内部にＦＰＣ受入空洞が設けられたハウジングであって、挿入端および挿入端側上側にＦＰＣ受入空洞と連通する開口部が形成されたハウジングと、
ハウジングに所定のピッチの横並びで装着され、各々のコンタクト片が前記ＦＰＣ受入空洞に臨んでいる複数の端子と、
前記ＦＰＣ受入空洞に挿入されたＦＰＣの接点と前記コンタクト片のコンタクト部を所定の接圧で係合させるための加圧部材とを備えたＦＰＣ用コネクタの製造方法であって、
前記複数の端子は、ハウジングの上側壁の下側に沿って挿入端方向に延びて、先端部がＦＰＣ受入空洞に突出し、上方への変位が上側壁で制限される上腕ビームを有したものとし、且つ、複数の端子のうちの偶数若しくは奇数極の端子の上腕ビームは、先端部下縁を挿入端方向へ延びるカム係合縁とし、奇数若しくは偶数極の端子の上腕ビームは、先端部上縁に上方開放切欠部を設けたものとし、
一方、前記加圧部材は、前記カム係合縁の下側に係合する断面が略長方形のカム部と、前記上方開放切欠部内に遊合するピン部とが、交互に設けられたものとし、
前記上方開放切欠部が上腕ビームに設けられた端子がハウジングに装着された後に前記加圧部材が組み付けられ、加圧部材が組み付けられた後に下縁をカム係合縁とした上腕ビームを有する端子がハウジングに装着されることを特徴とするＦＰＣ用コネクタの製造方法である。
【００１５】
【作用】
このように構成されたこの発明のＦＰＣ用コネクタは、加圧部材とハウジングや端子の間に、回転軸と軸受部を設けない構成であるので、この点での製造管理の困難性を解消することができる。
ＦＰＣの接続に際し、加圧部材を第１の位置から第２の位置に姿勢変化させる時、加圧部材に設けた断面を略長方形としたカム部は、その長辺側の面がカム係合縁に係合した状態から、この長辺側の面に角部を挟んで隣り合う短辺側の面が係合する状態へと転がるように変位して、長辺および短辺の向きを変化させ、ＦＰＣの接点と端子のコンタクト部の間に必要な接圧が得られるようにする。端子の上腕ビームのカム係合縁と係合するカム部が、このように一つの面から角部を挟んで隣り合う面へと係合する面を変化させることで、係合面が変化する際に操作者に様々のクリック感を与え、また、加圧部材の意に反する姿勢変化を防止する。上記のようにカム部の向きが変化する時、加圧部材に設けたピン部は、上腕ビームの上方開放切欠部の中で、その位置を移動させるが、上腕ビームの先端方向である前方への移動は、上方開放切欠部を画成している前縁で制限される。即ち、上方開放切欠部の前縁がピン部の前方移動の限界を構成して、加圧部材が脱落するのを防止する。また、加圧部材は、カム係合縁が形成された上腕ビームと上方開放切欠部が形成された上腕ビームとによって、嵌め合い状態とされ、ハウジングから外れて脱落しないようにできる。
【００１６】
【発明の実施の形態】
以下、この発明の実施形態を添付の図を参照して説明する。
【００１７】
図１、２は、図３および図４〜図６に示したような外観をした実施形態のＦＰＣ用コネクタ１０の断面図を表している。このＦＰＣ用コネクタ１０は、絶縁性のプラスチックを成形したハウジング２０および加圧部材４０と、薄金属板を打ち抜いた２種類の端子６０Ａ、６０Ｂとを備えている。図１、２は、２種類の端子６０Ａ、６０Ｂのそれぞれに沿って示した断面図であり、ＦＰＣ８０が接続された状態で示されている。
【００１８】
ハウジング２０は、図１、２に表れているように、上側壁２１と下側壁２２を有し、これらの間にＦＰＣ受入空洞２３を画成している。ＦＰＣ受入空洞２３は、図１、２において左側である前端に形成された開口部２４と連通し、この前端を挿入端２５としてＦＰＣ８０をＦＰＣ受入空洞２３に挿入できるようにしている。また、この挿入端２５側の上部にもＦＰＣ受入空洞２３に連通する開口部２６が形成されるように、前記上側壁２１は下側壁２２に比べて短くされている。この開口部２６は、加圧部材４０と端子６０Ａ、６０Ｂとを係合させる目的で形成されている。
【００１９】
ハウジング２０に２種類の端子６０Ａ、６０Ｂがハウジング２０の長手方向（図４の左右方向）に所定のピッチの横並びで交互に装着されている。図示した実施形態では、図１に示されている端子６０Ａが、図３で左側から数えて偶数番目の極（偶数極）となり、図２に示されている端子６０Ｂが奇数番目の極（奇数極）となるようにしている。尚、端子６０Ａを奇数極とし、端子６０Ｂを偶数極としてもかまわない。
【００２０】
各端子６０Ａ、６０Ｂの形状を説明すると、偶数極の端子６０Ａは、図１に示されているように、ハウジング２０の後端２７側から装着できるように形成され、ハウジング２０の上側壁２１と下側壁２２の間に配置される基板部６１の上部に、上側壁２１の下側に沿って延びる上腕ビーム６２が設けられている。この上腕ビーム６２は、先端部が上側壁２１の前縁を越えて前記開口部２６へ延びてＦＰＣ受入空洞２３へ突出する長さを有している。上側壁２１の下側に沿って延びることで上方への変位が上側壁２１で制限されている。上腕ビーム６２の基部下縁からクランク形状のスプリングビーム６３が垂下し、このスプリングビーム６３から長いコンタクト片６４と短いコンタクト片６５で二股状としたコンタクトが延び、端子６０Ａをハウジング２０に装着した時、各コンタクト片６４、６５が前記ＦＰＣ受入空洞２３に臨むようにしてある。基板部６１の後縁下部からは半田テイル６６が斜め下方に延びている。
【００２１】
奇数極の端子６０Ｂは、図２に示されているように、ハウジング２０の挿入端２５側から装着できるように形成されている。ハウジング２０の下側壁２２の上側に沿って延びる下腕ビーム６７と、ハウジング２０の上側壁２１の下側に沿って延びる上腕ビーム６８が連結ビーム６９で連結されて略横Ｕ字状に形成されている。下腕ビーム６７がハウジング２０の前後方向の幅に比べて長いのに対して、上腕ビーム６８は先端部が上側壁２１の前縁を越えて開口部２６へ延びてＦＰＣ受入空洞２３に突出する長さとされている。端子６０Ａの上腕ビーム６２と同様に、上側壁２１の下側に沿って延びることで上方への変位が上側壁２１で制限されている。上腕ビーム６８の基部下縁から、偶数極の端子６０Ａと同様に、スプリングビーム７０が垂下し、そして、スプリングビーム７０から長いコンタクト片７１と短いコンタクト片７２を備えたコンタクトが延びている。このコンタクトもハウジング２０のＦＰＣ受入空洞２３に臨むようにしてある。前記下腕ビーム６７の前端下縁には半田テイル７３が設けられている。
【００２２】
偶数極の端子６０Ａのコンタクトと、奇数極の端子６０Ｂのコンタクトは、互いに同じレベルで交互に並んでＦＰＣ受入空洞２３に臨むようになっている。長いコンタクト片６４、７１の先端上縁にはコンタクト部６４ａ、７１ａがそれぞれ突出形成してあり、ＦＰＣ８０の下面に設けられる接点（図示せず）と対向できるようにしてある。また、短いコンタクト片６５、７２の先端下縁にも、コンタクト部６５ａ、７２ａが突出形成してあり、ＦＰＣ８０の上面に設けられる接点（図示せず）と対向できるようにしてある。長いコンタクト片６４、７１に形成したコンタクト部６４ａ、７１ａは、ＦＰＣ受入空洞２３内で千鳥状に配置されるようにしてある。短いコンタクト片６５、７２に形成したコンタクト部６５ａ、７２ａも同様で、千鳥状に配置されるようにしてある。
【００２３】
加圧部材４０は、図３〜図６を参照して説明すると、ハウジング２０の上側壁２１を略覆う大きさの方形板状の本体部４１の前縁から係合部４２が下方に向って弧状に連続していると共に、本体部４１の両側に側板部４３が垂下している。本体部４１、係合部４２、側板部４３は一体となっている。係合部４２がハウジング２０の上側壁２１の前方に形成した開口部２６を通してＦＰＣ受入空洞２３の中に突入して、端子６０Ａ、６０Ｂの各上腕ビーム６２、６８と係合させてある。この係合の為に、偶数極の端子６０Ａの上腕ビーム６２に対応させて図１に表れているように窓孔４４が係合部４２を貫通して形成され、窓孔４４を通して上腕ビーム６２の先端部が前方に延びるようにしてある。また、奇数極の端子６０Ｂの上腕ビーム６８に対応させて図２に表れているように収容溝４５が係合部４２に形成され、収容溝４５の中に上腕ビーム６８の先端部が延びるようにしてある。
【００２４】
偶数極の端子６０Ａと加圧部材４０の係合は、挿入端２５の方向に略水平となって延びている、端子６０Ａの上腕ビーム６２の先端部下縁をカム係合縁６２ａとして、このカム係合縁６２ａと前記窓孔４４の下側に隣接させて設けたカム部４６で形成されている。カム部４６は断面が略長方形の形状をしており、短辺の面４６ａや長辺の面４６ｂ或は両面間の角部４６ｃがカム係合縁６２ａに係合するようにしている。
【００２５】
奇数極の端子６０Ｂと加圧部材４０の係合は、端子６０Ｂの上腕ビーム６８の先端部に形成した上方開放切欠部７４と、加圧部材４０の係合部４２に形成した収容溝４５に横設したピン部４７で形成されている。ピン部４７を上方開放切欠部７４の中に収容して係合させてある。上方開放切欠部７４は、図１７にも示してあるように、略垂直の前縁７４ａと略垂直の後縁７４ｄと、前縁７４ａと後縁７４ｄの間を連続させる円弧下縁７４ｂと傾斜下縁７４ｃで画成されている。前縁７４ａと後縁７４ｄの幅がピン部４７の径に比べて大きくされて、ピン部４７と上方開放切欠部７４は遊合状態で係合しており、ピン部４７は上方開放切欠部７４の中で、前後方向および上下方向で移動が可能となっている。加圧部材４０の操作によってカム部４６の短辺の面４６ａおよび長辺の面４６ｂの方向が変化する時、ピン部４７の位置が前後および上下の方向で移動できるようにしたものである。
【００２６】
更に、加圧部材４０のカム部４６が係合している偶数極の端子６０Ａの上腕ビーム６２のカム係合縁６２ａには肩部６２ｂが形成されており、カム部４６の長辺の面４６ｂは、肩部６２ｂを有するカム係合縁６２ａの形状に対応させて、段部４８が形成されている。
【００２７】
加圧部材４０の係合部４２と端子６０Ａ、６０Ｂの上腕ビーム６２、６８を上記のように係合させることで、加圧部材４０は、図７、８に示したハウジング２０に略垂直の位置、即ち、挿入端２５の開口部２４を通してＦＰＣ８０をＦＰＣ受入空洞２３に挿入可能とする第１の位置と、図１、２に示したハウジング２０に略平行の位置、即ち、ＦＰＣ受入空洞２３に挿入されたＦＰＣ８０の接点と端子６０Ａ、６０Ｂのコンタクト片６４、６５、７１、７２に設けられたコンタクト部６４ａ、６５ａ、７１ａ、７２ａを所定の接圧で加圧係合させる第２の位置の間で姿勢変化することが可能となっている。以下、この加圧部材４０の姿勢変化に伴うカム部４６、ピン部４７の動作と加圧係合の様子について図１、２、７、８と、姿勢変化の途中を表している図９〜１６を参照して説明する。
【００２８】
加圧部材４０の姿勢を図７、８の第１の位置にすると、カム部４６はその長辺の面４６ｂが偶数極の端子６０Ａの上腕ビーム６２のカム係合縁６２ａに係合するように変位すると共に、コンタクト片６４、６５およびコンタクト片７１、７２の間を開放するようになっている。図７において、ｃｘ０は、この時のカム部４６の角部４６ｃの前後方向における位置（原点位置）の座標を表している。奇数極の端子６０Ｂの上腕ビーム６８に形成した上方開放切欠部７４に遊合させた加圧部材４０のピン部４７は、この時、傾斜下縁７４ｃと係合する位置を取るようになっている。図８において、ｐｘ０はピン部４７の前後方向における位置（原点位置）、ｐｙ０は上下方向の位置（原点位置）の座標を表している。
【００２９】
加圧部材４０の姿勢をこのように第１の位置にすると、ＦＰＣ受入空洞２３へＦＰＣ８０を挿入抵抗の無いゼロ挿入力で挿入することができる。端子６０Ａのコンタクト片６４、６５の対向間隔および端子６０Ｂのコンタクト片７１、７２の対向間隔がＦＰＣ８０の厚さよりも広くされているためである。つまり、各コンタクト片に沿ってＦＰＣ８０をゼロ挿入力で挿入できる間隙が形成されているのである。ＦＰＣ８０をＦＰＣ受入空洞２３に臨んでいる端子６０Ａのコンタクト片６４、６５の間および端子６０Ｂのコンタクト片７１、７２の間に挿入し、上下面の接点とコンタクト部６４ａ、６５ａ、７１ａ、７２ａを１対１の関係で対向させることができる。各端子６０Ａ、６０Ｂの短いコンタクト片６５、７２のコンタクト部６５ａ、７２ａと接点の対向部は、ＦＰＣ受入空洞２３で各端子６０Ａ、６０Ｂの間に設けられている隔壁２８の上縁でバックアップされる。
【００３０】
ＦＰＣ８０を挿入した後、加圧部材４０を図１、２の第２の位置まで姿勢変化させると、その間において、図９、１０〜図１５、１６のような姿勢に順次変化して最後に図１、２の第２の位置の姿勢に変化する。図９、１０は、加圧部材４０がハウジング２０に対して約７０度の角度をなしている姿勢の時を表している。同様に、図１１、１２は約４５度の姿勢、図１３、１４は約３０度の姿勢、図１５、１６は約１５度の姿勢を表している。このような姿勢変化に伴って、加圧部材４０のカム部４６も各図に表れているように、その短辺の面４６ａと長辺の面４６ｂの向きを順次変化させていく。そして、加圧部材４０のピン部４７も上方開放切欠部７４内で図のように移動していく。
【００３１】
カム部４６のこのような向きの変化は、偶数極の端子６０Ａに設けた上腕ビーム６２のカム係合縁６２ａと長辺の面４６ｂの係合から角部４６ｃの係合へと移行し、この係合部を起点としてはじめのステップが進行する。したがって、ピン部４７はその位置を上方開放切欠部７４内で移動させることになる。即ち、図１０に表れているように、ピン部４７は上方開放切欠部７４の傾斜下縁７４ｃを下るように前方へ移動して円弧下縁７４ｂと係合するように変化する。ピン部４７は前方にΔｐｘ１、下方にΔｐｙ１移動して、ｐｘ１、ｐｙ１の位置に中心を移動させる。ピン部４７が円弧下縁７４ｂと係合する位置（ｐｘ１、ｐｙ１）まで移動すると、ピン部４７は前縁７４ａとも係合することとなり、それ以上前方への移動は停止される。前縁７４ａがピン部４７の前方への移動の限界を構成する。また、この前縁７４ａとピン部４７の係合によって、加圧部材４０が姿勢変化の際に端子６０Ａ、６０Ｂとの係合が外れて脱落するのを防止する。
【００３２】
上記のようなステップを経て、ピン部４７が上方開放切欠部７４の前縁７４ａと係合して前方への移動が停止した後は、加圧部材４０の姿勢変化に伴ってピン部４７は前縁７４ａに押し付けられるので、前縁７４ａからピン部４７に反力が作用することになる。この反力を受けるステップでは、カム部４６の角部４６ｃと上腕ビーム６２のカム係合縁６２ａの係合部が後方に移動しながらカム部４６の向きの変化が進行することになる。加圧部材４０の姿勢がハウジング２０に対して約４５度の角度をなしている図１１、１２の段階では、カム部４６の角部４６ｃは後方にΔｃｘ１移動してｃｘ１の位置に移動する。ピン部４７は図１０の位置と同じでｐｘ１、ｐｙ１に位置している。加圧部材４０の姿勢がハウジング２０に対して約３０度の角度をなしている図１３、１４の段階では、カム部４６の角部４６ｃは後方へΔｃｘ２移動してｃｘ２の位置に移動する。ピン部４７はｐｘ１、ｐｙ１に位置している。加圧部材４０の姿勢がハウジング２０に対して約１５度の角度をなしている図１５、１６の段階では、カム部４６の角部４６ｃは後方へΔｃｘ３移動してｃｘ３の位置に移動する。ピン部４７は上方開放切欠部７４の前縁７４ａに沿って上方に僅かに移動してｐｙ０からΔｐｙ２離れたｐｘ１、ｐｙ２の位置に移動する。
【００３３】
上腕ビーム６２のカム係合縁６２ａに形成した肩部６２ｂは、カム部４６の角部４６ｃとカム係合縁６２ａの係合部が後方へ移動する限界を構成し、また、加圧部材４０の姿勢変化の際の後方移動の限界も構成している。もっとも、ピン部４７が上方開放切欠部７４の前縁７４ａと係合して前方への移動が制限されているので、肩部６２ａの位置は、カム部４６の角部４６ｃと上腕ビーム６２のカム係合縁６２ａとの係合部の移動範囲を確保できる位置とされていることは言うまでもない。
【００３４】
このようなカム部４６がその短辺と長辺の向きを変化させ、また、ピン部４７が上方開放切欠部７４内で移動する過程で、加圧部材４０のＦＰＣ受入空洞２３に突入している係合部４２の端面は、ＦＰＣ受入空洞２３内において、ＦＰＣ８０の上面と当接してＦＰＣ８０を押し下げる、加圧面４９として働く。カム部４６と端子６０Ａの上腕ビーム６２のカム係合縁６２ａとが係合しているので、加圧部材４０は上方に移動することはできない。このため、加圧面４９はＦＰＣ８０を端子６０Ａ、６０Ｂの長いコンタクト片６４、７１へと押圧付勢して、各コンタクト片６４、７１を下方に弾性変形させて、コンタクト部６４ａ、７１ａとＦＰＣ８０の接点を適度の接圧で加圧係合させる。長いコンタクト片６４、７１が下方に弾性変形を受けると、それぞれに一体の短いコンタクト片６５、７２も下方へ追従させるので、隔壁２８でバックアップされているＦＰＣ８０の接点とコンタクト部６５ａ、７２ａも適度の接圧で加圧係合させることができる。
【００３５】
加圧部材４０の加圧面４９がＦＰＣ８０を介して長いコンタクト片６４、７１を弾性変形させ、また、短いコンタクト片６５、７２も間接的に弾性変形させると、その反力が加圧部材４０に作用することになる。この反力は、カム部４６が図１８のように、角部４６ｃとこれに対向する角部を結ぶ対角線が垂直方向に向いた時（図１３、１４に示した、加圧部材４０がハウジング２０に対して約３０度の角度をなした時）に最大となる。この最大の反力はカム部４６のもう一対の角部に表れるモーメントｆ１、ｆ２（図１８）も最大とする。したがって、加圧部材４０が図１３、１４の段階まで姿勢変化した後は、一気に図１５、１６の段階を経て図１、２の第２の位置まで姿勢変化するのが助長される。しかも、第２の位置まで姿勢変化をすると、カム部４６の短辺の面４６ａが上腕ビーム６２のカム係合縁６２ａに係合して、それ以上の姿勢変化を急激に停止させる。
【００３６】
加圧部材４０が第２の位置まで姿勢を変化し、カム係合縁６２ａとカム部４６の係合が、角部４６ｃから短辺の面４６ａに移行するステップが終わると、カム４６の角部４６ｃは図１に示されているように、原点ｃｘ０からΔｃｘ４離れたｃｘ４の位置に移動する。カム係合縁６２ａに形成した肩部６２ｂの近くである。また、ピン部４７は、ｐｘ１、ｐｙ２の位置から更に前縁７４ａに沿って上昇して円弧下縁７４ｂから離れ、ｐｘ１、ｐｙ０の位置に移動する。
【００３７】
多段クリックの説明のために加圧部材４０が第１の位置から第２の位置へ姿勢変化する様子を３つのステップに亘って説明した。加圧部材４０を操作する者には、各ステップで異なった感触を与える。即ち、はじめのステップは、それほどの抵抗を受けることなく操作できるのに対し、中間のステップでは、カム部４６の角部４６ｃがカム係合縁６２ａをこすりながら移動するため、はじめのステップに比べてやや大きい抵抗を感じるようになる。そして、最後のステップでは、コンタクト片の反力で姿勢変化に勢いが与えられる。この結果、加圧部材４０を姿勢変化させてＦＰＣ８０を接続する際には、多段階の確かなクリック感を与え、接続の完成をはっきりと認識することができる。
【００３８】
このようにしてＦＰＣ８０が接続された後は、カム部４６の短辺の面４６ａと上腕ビーム６２のカム係合縁６２ａが係合している状態から、角部４６ｃが上腕ビーム６２の下側縁と係合する状態へ変化させるには、端子６０Ａ、６０Ｂのコンタクト側からの反力が作用している条件で、比較的大きな力を必要とする。したがって、ＦＰＣ８０の引き回し等によって加圧部材４０が意に反して第１の位置に向って姿勢変化するのを確実に防止することができる。接続状態がこのように確実に維持されるので、接続の信頼性を向上することができる。接続を解除する場合は、加圧部材４０に端子６０Ａ、６０Ｂのコンタクトからの反力に打ち勝つ力を与えて、第１の位置へ向かって姿勢変化させることになる。この時、カム部４６とピン部４７は前記と逆の経過をたどって、向きを変化させ、また、移動をする。
【００３９】
加圧部材４０が姿勢変化する時、ピン部４７が一点に固定されないように、前記上方開放切欠部７４の底部に傾斜下縁７４ｃを含んでいることが重要である。カム部４６が角部４６ｃを基点として向きを変化させる時、ピン部４７が前方下方に移動できるようにするためである。ここで、もし、ピン部４７が一点に固定されて（固定された回転軸とされて）、加圧部材４０がピン部４７を中心として回動するように構成したとすると、カム部４６の角部４６ｃは、図１９のようにカム係合縁６２ａと競り合うことになる。したがって、この場合、加圧部材４０を回動させることが不可能である。カム係合縁６２ａが形成されている上腕ビーム６２が、ハウジング２０の上側壁２１によって上方への変位を制限されているためである。もっとも、加圧部材４０を無理矢理回動させることは可能であるが、カム部４６の早期の磨耗を招くことになる。
【００４０】
図２０は、他の実施形態のカム部４６の断面を表している。このように、カム部４６の上腕ビーム６２のカム係合縁６２ａと係合することになる長辺の面４６ｂは、平坦面５０とテーパー面５１で構成して、肩部６２ｂを形成した上腕ビーム６２の下側縁の形状に対応させることもできる。
【００４１】
尚、先の実施形態において、ハウジング２０の両側には金属製のネイル１００が装着してある。このネイル１００は、図２１、２２に示すように、ハウジング２０と係合する装着片１０１と、ハウジング２０の外側に延びる係合片１０２が連結底片１０３で連続している。前記加圧部材４０の側板部４３は、ハウジング２０とこのネイル１００の係合片１０２の間隙に挟まれるように配置されている。
【００４２】
ネイル１００の係合片１０２には、突条１０４が内側に突出するようにして長手方向で設けてある。一方、加圧部材４０の側板部４３の外面には、図１６に示したように、突条１０４を収容できる凹入溝５２と、突条１０４と係合する段部５３が設けてある。加圧部材４０を第２の位置にすると、突条１０４と段部５３が係合して、ここでも加圧部材４０の第１の位置に向かう意に反する姿勢変化が起こらないようにしている。
【００４３】
図２４〜図２８に、図３に示した完成品が得られるまでの製造方法が示されている。はじめに、図２４のように、ハウジング２０の挿入端２５側から奇数極の端子６０Ｂを装着する。次に、図２５と２６のように、端子６０Ｂが装着されているハウジング２０に加圧部材４０を組み付ける。加圧部材４０は本体部４１をハウジング２０と略平行にして、上方から組み付ける。加圧部材４０を組み付けると、ピン部４７が端子６０Ｂの上腕ビーム６８に設けた上方開放切欠部７４内に収容される（図２参照）。
【００４４】
加圧部材４０を組み付けた後に、図２７のように、ハウジング２０の後端２７から偶数極の端子６０Ａを装着する。端子６０Ａを装着すると、上腕ビーム６２の先端部がカム部４６の上部の窓孔４４に突入する（図１参照）。上腕ビーム６２の先端部下縁の、挿入端２５の方向に向かって略水平に延びているカム係合縁６２ａが、カム部４６の短辺の面４６ａの上に延びて、カム部４６と係合するようになる。最後に、図２８のように、ネイル１００をハウジング２０に挿入端２５側から装着することで、図３に示されているＦＰＣ用コネクタ１０が完成する。
【００４５】
完成したＦＰＣ用コネクタでは、カム部４６がカム係合縁６２Ａの下側に係合しているため、加圧部材４０の上方への移動が制限されることになる。また、ピン部４７が上方開放切欠部７４に遊合しているため、加圧部材４０の前後および下方への移動が制限されることになる。つまり、完成したＦＰＣ用コネクタ１０においては、加圧部材４０は、いわば嵌め合いの状態となって、組み付け状態の解除はもはや不可能となるのである。この結果、加圧部材４０が第１の位置と第２の位置の間で姿勢変化する時、ＦＰＣ受入空洞２３にＦＰＣ８０が挿入されていると否とにかかわらず、ハウジング２０から外れて脱落することは皆無である。
【００４６】
図２９（ａ）、（ｂ）には更に別の実施形態のＦＰＣ用コネクタ２００が示されている。この実施形態のＦＰＣ用コネクタ２００は、偶数極の端子２６０Ａおよび奇数極の端子２６０Ｂの形状が先の実施形態と異なっており、他の部分は先の実施形態と同様に構成されている。したがって、先の実施形態と同一の部材には同一の符号を付して詳細な説明は省略する。
【００４７】
先の実施形態の端子６０Ａ、６０Ｂは、長いコンタクト片６４、７１のコンタクト部６４ａ、７１ａおよび短いコンタクト片６５、７２のコンタクト部６５ａ、７２ａがＦＰＣ受入空洞２３において千鳥状に配置される構成であった。これに対して、図２９に示した実施形態では、コンタクト部が千鳥配置ではなく一直線に並ぶようにしている。即ち、偶数極の端子２６０Ａのコンタクトを構成している長いコンタクト片２６４の先端上縁に形成したコンタクト部２６４ａと奇数極の端子２６０Ｂのコンタクトを構成している長いコンタクト片２７１の先端上縁に形成したコンタクト部２７１ａがＦＰＣ受入空洞２３内で、図の紙面に垂直の方向で一直線に並ぶように構成されている。短いコンタクト片２６５、２７２も同様で、偶数極の端子２６０Ａの短いコンタクト片２６５の先端下縁に形成したコンタクト部２６５ａと、奇数極の端子２６０Ｂの短いコンタクト片２７２の先端下縁に形成したコンタクト部２７２ａが、ＦＰＣ受入空洞２３内で、図の紙面に垂直の方向で一直線に並ぶように構成されている。
【００４８】
先の実施形態のＦＰＣ用コネクタ１０に接続するＦＰＣ８０では、その接点を上面および下面でそれぞれ千鳥配置の形態とするのに対し、この図２９の実施形態のＦＰＣ用コネクタ２００に接続するＦＰＣでは、その接点を上面および下面でそれぞれ一直線に配置することになる。
【００４９】
また、奇数極の端子２６０Ｂは、ハウジング２０の後端２７側から装着できるように形成されている。したがって、下腕ビームを有することなく、基板部２６９の上部前縁から上腕ビーム２６８が延び、また、半田テイル２７３は基板部２６９の後縁下部から斜め下方に延びている。偶数極の端子２６０Ａの半田テイル２６６と奇数極の端子２６０Ｂの半田テイル２７３も一直線に並列するようにしている。
【００５０】
各端子２６０Ａ、２６０Ｂの上腕ビーム２６２、２６８と加圧部材４０の係合構造は先の実施形態と同一である。したがって、加圧部材４０の姿勢変化におけるカム部４５およびピン部４７の動作は前記と同様であり、この実施形態においても接続の完了を確かなクリック間で認識させることができ、また、接続状態の意に反する解除を回避して信頼性を向上することができる。製造方法も同様であり、ハウジング２０に端子２６０Ｂを装着した後、加圧部材４０を組み付け、その後に端子２６０ａを装着して完成品を得ることができ、そして、加圧部材４０を嵌め殺し状態とすることができる。
【００５１】
尚、実施形態で示したＦＰＣ用コネクタ１０、２００は、ハウジング２０の下側壁２２をプリント回路基板（図示せず）に略平行に対向させて実装する、いわゆるライトアングルタイプのものであるが、下側壁２２および上側壁２１をプリント回路基板に対して略垂直として実装するタイプとして実施することもできる。
【００５２】
【発明の効果】
以上に説明の通り、この発明のＦＰＣ用コネクタでは、加圧部材の断面を略長方形としたカム部と上腕ビームのカム係合縁を係合させ、また、ピン部を上腕ビームの上方開放切欠部に遊合させて前後および上下の方向で移動可能に構成して加圧部材の第１の位置と第２の位置の間の姿勢変化を可能とし、一定の位置に配置される回動軸と軸受部を備えていない構成としたので、製造上の管理を容易にし、しかも、確かなクリック感を与えて操作上の認識性を向上し、また、加圧部材の意に反する姿勢変化を困難にして接続の信頼性を向上でき、さらには、加圧部剤を嵌め合いの状態にしてＦＰＣが挿入されているか否かにかかわらずハウジングから外れて脱落しないようにできるなどの優れた効果がある。
【図面の簡単な説明】
【図１】この発明の実施形態の、加圧部材が第２の位置にある時の、偶数極の端子に沿って示した、一部拡大図を伴う断面図である。
【図２】同じく、実施形態の、加圧部材が第２の位置にある時の、奇数極の端子に沿って示した一部拡大図を伴う断面図である。
【図３】この発明の実施形態の斜視図である。
【図４】この発明の実施形態の平面図である。
【図５】この発明の実施形態の正面図である。
【図６】この発明の実施形態の側面図である。
【図７】この発明の実施形態の、加圧部材が第１の位置にある時の、偶数極の端子に沿って示した一部拡大図を伴う断面図である。
【図８】同じく、実施形態の、加圧部材が第１の位置にある時の、奇数極の端子に沿って示した一部拡大図を伴う断面図である。
【図９】加圧部材が第１の位置から第２の位置へ姿勢変化する時の中間段階の、偶数極の端子に沿って示した一部拡大図を伴う断面図である。
【図１０】同じく、加圧部材が第１の位置から第２の位置へ姿勢変化する時の中間段階の、奇数極の端子に沿って示した一部拡大図を伴う断面図である。
【図１１】図９から更に進んだ中間段階の、偶数極の端子に沿って示した一部拡大図を伴う断面図である。
【図１２】同じく、図１０から更に進んだ中間段階の、奇数極の端子に沿って示した一部拡大図を伴う断面図である。
【図１３】図１１から更に進んだ中間段階の、偶数極の端子に沿って示した一部拡大図を伴う断面図である。
【図１４】同じく、図１２から更に進んだ中間段階の、奇数極の端子に沿って示した一部拡大図を伴う断面図である。
【図１５】図１３から更に進んだ中間段階の、偶数極の端子に沿って示した一部拡大図を伴う断面図である。
【図１６】同じく、図１４から更に進んだ中間段階の、奇数極の端子に沿って示した一部拡大図を伴う断面図である。
【図１７】奇数極の端子の上腕ビームに形成した上方開放切欠部の拡大図である。
【図１８】カム部に働くモーメントを説明する図である。
【図１９】ピン部が固定された回動軸とされる場合を説明する一部拡大図を伴う断面図である。
【図２０】この発明の他の実施形態のカム部の断面図である。
【図２１】この発明の実施形態のネイルの正面図である。
【図２２】同じくネイルの底面図である。
【図２３】この発明の実施形態の加圧部材の側面図である。
【図２４】この発明の実施形態の製造方法を説明する図で、奇数極の端子を装着する工程の斜視図である。
【図２５】同じく、加圧部材を組み付ける工程の斜視図である。
【図２６】同じく、加圧部材の組付けを完了した状態の斜視図である。
【図２７】同じく、偶数極の端子を装着する工程の斜視図である。
【図２８】同じく、ネイルを装着する工程の斜視図である。
【図２９】この発明の別の実施形態の断面図で、（ａ）は偶数極の端子に沿って示した断面図、（ｂ）は奇数極の端子に沿って示した断面図である。
【図３０】従来のＦＰＣ用コネクタの上方斜視図である。
【図３１】従来のＦＰＣ用コネクタの下方斜視図である。
【図３２】従来のＦＰＣ用コネクタの断面図である。
【図３３】従来の別のＦＰＣ用コネクタの分解斜視図である。
【図３４】従来の別のＦＰＣ用コネクタの断面図である。
【図３５】従来の更に別のＦＰＣ用コネクタの分解斜視図である。
【図３６】従来の更に別のＦＰＣ用コネクタの断面図である。
【符号の説明】
１０、２００　ＦＰＣ用コネクタ
２０　　　　　ハウジング
２１　　　　　上側壁
２３　　　　　ＦＰＣ受入空洞
２４、２６　　開口部
４０　　　　　加圧部材
４２　　　　　係合部
４６　　　　　カム部
４６ａ　　　　カム部の短辺の面
４６ｂ　　　　カム部の長辺の面
４６ｃ　　　　カム部の角部
４７　　　　　ピン部
４８　　　　　段部
４９　　　　　加圧面
６０Ａ、２６０Ａ　　偶数極の端子
６０Ｂ、２６０Ｂ　　奇数極の端子
６２、２６２　　　　上腕ビーム
６２ａ　　　　　　　カム係合縁
６２ｂ　　　　　　　肩部
６４、２６４　　　　コンタクト片
６４ａ、２６４ａ　　コンタクト部
６５、２６５　　　　コンタクト片
６５ａ、２６５ａ　　コンタクト部
６８、２６８　　　　上腕ビーム
７１、２７１　　　　コンタクト片
７１ａ、２７１ａ　　コンタクト部
７２、２７２　　　　コンタクト片
７２ａ、２７２ａ　　コンタクト部
７４　　　　　上方開放切欠部
７４ａ　　　　前縁
７４ｂ　　　　円弧下縁
７４ｃ　　　　傾斜下縁
７４ｄ　　　　後縁
８０　　　　　ＦＰＣ
【図１】
2004022539.tif 000003
【図２】
2004022539.tif 000004
【図３】
2004022539.tif 000005
【図４】
2004022539.tif 000006
【図５】
2004022539.tif 000007
【図６】
2004022539.tif 000008
【図７】
2004022539.tif 000009
【図８】
2004022539.tif 000010
【図９】
2004022539.tif 000011
【図１０】
2004022539.tif 000012
【図１１】
2004022539.tif 000013
【図１２】
2004022539.tif 000014
【図１３】
2004022539.tif 000015
【図１４】
2004022539.tif 000016
【図１５】
2004022539.tif 000017
【図１６】
2004022539.tif 000018
【図１７】
2004022539.tif 000019
【図１８】
2004022539.tif 000020
【図１９】
2004022539.tif 000021
【図２０】
2004022539.tif 000022
【図２１】
2004022539.tif 000023
【図２２】
2004022539.tif 000024
【図２３】
2004022539.tif 000025
【図２４】
2004022539.tif 000026
【図２５】
2004022539.tif 000027
【図２６】
2004022539.tif 000028
【図２７】
2004022539.tif 000029
【図２８】
2004022539.tif 000030
【図２９】
2004022539.tif 000031
【図３０】
2004022539.tif 000032
【図３１】
2004022539.tif 000033
【図３２】
2004022539.tif 000034
【図３３】
2004022539.tif 000035
【図３４】
2004022539.tif 000036
【図３５】
2004022539.tif 000037
【図３６】
2004022539.tif 000038
【手続補正書】
【提出日】平成15年6月6日(2003.6.6)
【手続補正１】
【補正対象書類名】明細書
【補正対象項目名】全文
【補正方法】変更
【補正の内容】
【発明の詳細な説明】
【特許請求の範囲】
【請求項１】内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えており、
前記複数の端子（６０Ａ、６０Ｂ）が、ハウジング（２０）の上側壁（２１）の下側に沿って挿入端（２５）方向に延びて、先端部がＦＰＣ受入空洞（２３）に突出し、上方への変位が上側壁（２１）で制限されている上腕ビーム（６２、６８）を有しており、且つ、複数の端子のうちの偶数若しくは奇数極の端子（６０Ａ）の上腕ビーム（６２）は、先端部下縁が挿入端（２５）方向へ延びるカム係合縁（６２ａ）とされ、奇数若しくは偶数極の端子（６０Ｂ）の上腕ビーム（６８）は、先端部上縁に、略垂直の前縁（７４ａ）と略垂直の後縁（７４ｂ）と、前縁（７４ａ）と後縁（７４ｂ）の間を連続させる円弧下縁（７４ｄ）と傾斜下縁（７４ｃ）とで画成された上方開放切欠部（７４）が設けられ、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられており、
カム係合縁（６２ａ）とカム部（４６）の係合と、上方開放切欠部（７４）とピン部（４７）の遊合によって、加圧部材（４０）は、ＦＰＣ受入空洞（２３）へＦＰＣ（８０）を挿入可能とする第１の位置と、挿入されたＦＰＣ（８０）の接点とコンタクト片（６４、６５、７１、７２）のコンタクト部（６４ａ、６５ａ、７１ａ、７２ａ）を所定の接圧で係合させる第２の位置の間で姿勢変化が可能とされ、
この第１の位置から第２の位置への加圧部材（４０）の姿勢変化の過程では、カム係合縁（６２ａ）とカム部（４６）の係合が、カム部（４６）の長辺の面（４６ｂ）から角部（４６ｃ）に移行すると共に、ピン部（４７）が上方開放切欠部（７４）内で、傾斜下縁（７４ｃ）に沿って円弧下縁（７４ｂ）側に移動するステップと、上方開放切欠部（７４）内で、ピン部（４７）が前縁（７４ａ）に押し付けられて反力を受けると共に、この反力によってカム部（４６）の角部（４６ｃ）がカム係合縁（６２ａ）に沿って後方へ移動するステップと、カム係合縁（６２ａ）とカム部（４６）の係合が、カム部（４６）の角部（４６ｃ）から短辺の面（４６ａ）に移行すると共に、ピン部（４７）が上方開放切欠部（７４）内で前縁（７４ａ）に沿って上方に移動するステップが含まれるようにしたことを特徴とするＦＰＣ用コネクタ。
【請求項２】カム係合縁（６２ａ）は、カム部（４６）の角部（４６ｃ）の移動を制限する段部（６２ｂ）が設けられている請求項１に記載のＦＰＣ用コネクタ。
【請求項３】カム部（４６）の長辺の面（４６ｂ）は、段部（６２ｂ）が設けられたカム係合縁（６２ａ）に対応させた面に形成されている請求項２に記載のＦＰＣ用コネクタ。
【請求項４】加圧部材（４０）が第１の位置の時、コンタクト片（６４、６５、７１、７２）に沿ってＦＰＣ（８０）をゼロ挿入力で挿入できる間隙が形成されている請求項１〜３のいずれかに記載のＦＰＣ用コネクタ。
【請求項５】加圧部材（４０）は、第２の位置でＦＰＣ（８０）に当接して押し下げる加圧面（４９）が設けられているＦＰＣ用コネクタ。
【請求項６】内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えており、
前記複数の端子（６０Ａ、６０Ｂ）が、ハウジング（２０）の上側壁（２１）の下側に沿って挿入端（２５）方向に延びて、先端部がＦＰＣ受入空洞（２３）に突出し、上方への変位が上側壁（２１）で制限されている上腕ビーム（６２、６８）を有しており、且つ、複数の端子のうちの偶数若しくは奇数極の端子（６０Ａ）の上腕ビーム（６２）は、先端部下縁が挿入端（２５）方向へ延びるカム係合縁（６２ａ）とされ、奇数若しくは偶数極の端子（６０Ｂ）の上腕ビーム（６８）は、先端部上縁に上方開放切欠部（７４）が設けられ、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられており、
カム係合縁（６２ａ）とカム部（４６）の係合と、上方開放切欠部（７４）とピン部（４７）の遊合によって、加圧部材（４０）は、ＦＰＣ受入空洞（２３）へＦＰＣ（８０）を挿入可能とする第１の位置と、挿入されたＦＰＣ（８０）の接点とコンタクト片（６４、６５、７１、７２）のコンタクト部（６４ａ、６５ａ、７１ａ、７２ａ）を所定の接圧で係合させる第２の位置の間で姿勢変化が可能とされていると共に、
前記加圧部材（４０）は、ハウジング（２０）に対して上方への移動が、下側縁をカム係合縁（６２ａ）とされた上腕ビーム（６２）で制限され、ハウジング（２０）に対して前後および下方への移動が、上側縁に上方解放切欠部（７４）を設けた上腕ビーム（６８）で制限され、第１の位置と第２の位置の間における姿勢変化の際にハウジング（２０）から脱落しないようにされていることを特徴とするＦＰＣ用コネクタ。
【請求項７】前記加圧部材（４０）の上方への移動は、カム係合縁（６２ａ）の下側にカム部（４６）を係合させて制限されている請求項６に記載のＦＰＣ用コネクタ。
【請求項８】前記加圧部材（４０）の前後および下方への移動は、上方開放切欠部（７４）にピン部（４７）を遊合させて制限されている請求項６に記載のＦＰＣ用コネクタ。
【請求項９】内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えており、
前記複数の端子（６０Ａ、６０Ｂ）が、ハウジング（２０）の上側壁（２１）の下側に沿って挿入端（２５）方向に延びて、先端部がＦＰＣ受入空洞（２３）に突出し、上方への変位が上側壁（２１）で制限されている上腕ビーム（６２、６８）を有しており、且つ、複数の端子のうちの偶数若しくは奇数極の端子（６０Ａ）の上腕ビーム（６２）は、先端部下縁が挿入端（２５）方向へ延びるカム係合縁（６２ａ）とされ、奇数若しくは偶数極の端子（６０Ｂ）の上腕ビーム（６８）は、先端部上縁に上方開放切欠部（７４）が設けられ、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられており、
カム係合縁（６２ａ）とカム部（４６）の係合と、上方開放切欠部（７４）とピン部（４７）の遊合によって、加圧部材（４０）は、ＦＰＣ受入空洞（２３）へＦＰＣ（８０）を挿入可能とする第１の位置と、挿入されたＦＰＣ（８０）の接点とコンタクト片（６４、６５、７１、７２）のコンタクト部（６４ａ、６５ａ、７１ａ、７２ａ）を所定の接圧で係合させる第２の位置の間で姿勢変化が可能とされていると共に、
前記加圧部材（４０）は、先端部に上方開放切欠部（７４）が形成された上腕ビーム（６８）を有する端子（６０Ｂ）がハウジング（２０）に装着された後に組み付けられ、且つ、先端部下縁をカム係合縁（６２ａ）とした上腕ビーム（６２）を有する端子（６０Ａ）は、加圧部材（４０）が組み付けられた後にハウジング（２０）に装着されており、加圧部材（４０）は嵌め合い状態となってハウジング（２０）から脱落しないようにされているＦＰＣ用コネクタ。
【請求項１０】内部にＦＰＣ受入空洞（２３）が設けられたハウジング（２０）であって、挿入端（２５）および挿入端側上側にＦＰＣ受入空洞（２３）と連通する開口部（２４、２６）が形成されたハウジング（２０）と、
ハウジング（２０）に所定のピッチの横並びで装着され、各々のコンタクト片（６４、６５、７１、７２）が前記ＦＰＣ受入空洞（２３）に臨んでいる複数の端子（６０Ａ、６０Ｂ）と、
前記ＦＰＣ受入空洞（２３）に挿入されたＦＰＣ（８０）の接点と前記コンタクト片（６４、６５、７１、７２）のコンタクト部（６４ａ、６５ａ、７１ａ、７２ａ）を所定の接圧で係合させるための加圧部材（４０）とを備えたＦＰＣ用コネクタの製造方法であって、
前記複数の端子（６０Ａ、６０Ｂ）は、ハウジング（２０）の上側壁（２１）の下側に沿って挿入端（２５）方向に延びて、先端部がＦＰＣ受入空洞（２３）に突出し、上方への変位が上側壁（２１）で制限される上腕ビーム（６２、６８）を有したものとし、且つ、複数の端子のうちの偶数若しくは奇数極の端子（６０Ａ）の上腕ビーム（６２）は、先端部下縁を挿入端方向へ延びるカム係合縁（６２ａ）とし、奇数若しくは偶数極の端子（６０Ｂ）の上腕ビーム（６８）は、先端部上縁に上方開放切欠部（７４）を設けたものとし、
一方、前記加圧部材（４０）は、前記カム係合縁（６２ａ）の下側に係合する断面が略長方形のカム部（４６）と、前記上方開放切欠部（７４）内に遊合するピン部（４７）とが、交互に設けられたものとし、
前記上方開放切欠部（７４）が上腕ビーム（６８）に設けられた端子（６０Ｂ）がハウジング（２０）に装着された後に前記加圧部材（４０）が組み付けられ、加圧部材（４０）が組み付けられた後に下縁をカム係合縁（６２ａ）とした上腕ビーム（６２）を有する端子（６０Ａ）がハウジング（２０）に装着されることを特徴とするＦＰＣ用コネクタの製造方法。
【請求項１１】加圧部材（４０）の組み付けは、ハウジング（２０）と略平行にしてハウジング（２０）の上方から組み付けられる請求項１０に記載のＦＰＣ用コネクタの製造方法。
【請求項１２】下縁をカム係合縁（６２ａ）とした上腕ビーム（６２）を有する端子（６０Ａ）がハウジング（２０）に装着された後は、加圧部材（４０）の組み付け状態は解除できない請求項１０に記載のＦＰＣ用コネクタの製造方法。
【発明の詳細な説明】
【０００１】
【発明の属する技術分野】
この発明は、一般にＦＰＣ、ＦＦＣなどと呼ばれている平形柔軟ケーブル（この明細書でもこれらを代表して単に「ＦＰＣ」という。）を接続する為のＦＰＣ用コネクタとその製造方法に関する。
【０００２】
【従来の技術】
従来、このようなＦＰＣ用コネクタの場合、絶縁性のプラスチックで成形したハウジングと、薄金属板を打ち抜いて形成された端子と、端子のコンタクト片とＦＰＣの接点を所定の接圧（当接圧）で加圧係合させる為の加圧部材とを備えている。この加圧部材も絶縁性のプラスチックで成形される。ハウジングには、内部にＦＰＣ受入空洞が設けられ、これと連通する開口部が挿入端および挿入端側上部に形成されて、ＦＰＣをＦＰＣ受入空洞へ挿入端から挿入できるようにしている。端子は複数とされ、所定のピッチの横並びでハウジングに装着される。各端子にはコンタクト片が設けられ、端子をハウジングに装着するとコンタクト片がＦＰＣ受入空洞に片持梁状となって臨むようにしている。
【０００３】
加圧部材は、ハウジングに形成した開口部に設けられ、ＦＰＣ受入空洞にＦＰＣを挿入可能とする第１の位置と、挿入されたＦＰＣの接点と端子のコンタクト片に形成されたコンタクト部を所定の接圧で加圧係合させる第２の位置の間で姿勢変化が可能にされる。この加圧部材は、カム部や加圧突部が設けられて、加圧部材の姿勢変化によって、カム部や加圧突部が、挿入されているＦＰＣをコンタクト片に向けて押圧付勢するようにしている。
【０００４】
加圧部材の姿勢変化は、通常、加圧部材を回動軸の回りで回動させることによって行われ、この為、加圧部材とハウジングの間や、加圧部材と端子に設けた支持ビームの間で、一方に回動軸を設け、他方に軸受部を設けて互いに係合させている。
【０００５】
図３０〜３２は、特開２０００−４８８８６号公報で開示されているＦＰＣ用コネクタである。図において、３００がハウジングであり、３０１が加圧部材である。このＦＰＣ用コネクタでは、図３１に表れているように、加圧部材３０１に回動軸３０２が設けられ、ハウジング３００側に設けられた軸受部（図示されていない）に支持されて、加圧部材３０１が図３２の第１の位置と図３０、３１の第２の位置の間で回動できるよにされている。図３２に表れているように、加圧部材３０１にはカム部３０３が設けられて、端子３０４の支持ビーム３０５と係合させてあり、加圧部材３０１を第２の位置に回動させると、カム部３０３がＦＰＣをコンタクト片３０６側に押圧付勢するようにしている。
【０００６】
また、図３３、３４は、特許第２５８００７４号公報で開示されているＦＰＣ用コネクタである。このＦＰＣ用コネクタのハウジング４００に形成した半円状の軸受部４０１に、加圧部材４０２の回動軸４０３を係合させて、加圧部材４０２が回動軸４０３の回りで回動できるようにされている。この場合更に、端子４０４の支持ビーム４０５に回動支持部４０６が形成されて、加圧部材４０２に凹入形成された断面円弧状の回動溝部４０７と係合させている。加圧部材４０２には加圧突部４０８が設けられ、加圧部材４０２を図２２の第１の位置から矢示４０９の方向に約９０度回動させて第２の位置へと姿勢を変化させると、加圧突部４０８がＦＰＣ４１０を端子４０４のコンタクト片４１１へ向けて押圧付勢するようにしている。
【０００７】
更に、図３５、３６は、特許第２８９２９４５号公報で開示されているＦＰＣ用コネクタである。このＦＰＣ用コネクタも加圧部材５００の両端面に設けた回動軸５０１をハウジング５０２側の軸受部（図示されていない）に係合させて、加圧部材５００が回動できるようにされている。また、図３６に示されているように、加圧部材５００には更に別の回動軸５０３が設けられ、端子５０４の支持ビーム５０５に形成した円弧状の回動支持部５０６と係合させている。加圧部材５００には加圧突部５０７も設けられている。加圧部材５００を図３６の鎖線で示された第１の位置から矢示５０８の方向へ回動させて実線で示された中間位置を経て第２の位置まで回動軸５０１、５０３の回りで回動させると、加圧突部５０７がＦＰＣ５０８を端子５０４のコンタクト片５０９に向けて押圧付勢するようにしている。
【０００８】
【発明が解決しようとする課題】
このように、従来のＦＰＣ用コネクタでは、加圧部材とハウジングおよび／または端子を回動軸と軸受部で係合させて、加圧部材を回動軸の回りで回動させて前記第１の位置と第２の位置の間で姿勢変化をするようにしていた。この為、回動軸と軸受部は隙間の無い嵌合状態で係合させる必要があり、各部品の製造および組立の管理を難しくしていた。回動軸と軸受部の工作精度には限界があり、通常の製造誤差（５／１００ｍｍ程度）はやむを得ないとしても、回動軸と軸受部の嵌合状態が、隙間のあるいわゆるガタガタの状態では、加圧部材によってＦＰＣを端子のコンタクト片へ向けて適正に押圧することが難しく、接続用コネクタとしての性能が十分に得られないものであった。
【０００９】
また、加圧部材を回動によって姿勢変化させてＦＰＣの接続を行う従来のＦＰＣ用コネクタには、接続完了時のクリック感を得ることが難しく、ＦＰＣが正しく接続されたか否かの認識性が乏しいという問題もあった。加えて、正しく接続ができても、ＦＰＣの引き回し等によって加圧部材が接続時と反対の方向へ簡単に回動するので、接続の信頼性が損なわれるという問題点もあった。このクリック感や加圧部材の意に反する回動の防止の為に、加圧部材に設けられる前記カム部や加圧突部が、加圧部材の第２の位置では、ＦＰＣを押圧する力の最大の位置を越えた位置まで回動するように構成することが行われているが、十分なクリック感は得られていなかったし、確実な回動防止はできていなかった。
【００１０】
この発明は以上のような問題点に鑑みてなされたもので、製造上の管理が容易で、しかも、操作上の認識性および接続の信頼性の高いＦＰＣ用コネクタとその製造方法を提供することを目的としている。
【００１１】
【課題を解決するための手段】
前記の目的のもとになされたこの発明は、内部にＦＰＣ受入空洞が設けられたハウジングであって、挿入端および挿入端側上側にＦＰＣ受入空洞と連通する開口部が形成されたハウジングと、
ハウジングに所定のピッチの横並びで装着され、各々のコンタクト片が前記ＦＰＣ受入空洞に臨んでいる複数の端子と、
前記ＦＰＣ受入空洞に挿入されたＦＰＣの接点と前記コンタクト片のコンタクト部を所定の接圧で係合させるための加圧部材とを備えており、
前記複数の端子が、ハウジングの上側壁の下側に沿って挿入端方向に延びて、先端部がＦＰＣ受入空洞に突出し、上方への変位が上側壁で制限されている上腕ビームを有しており、且つ、複数の端子のうちの偶数若しくは奇数極の端子の上腕ビームは、先端部下縁が挿入端方向へ延びるカム係合縁とされ、奇数若しくは偶数極の端子の上腕ビームは、先端部上縁に、略垂直の前縁と略垂直の後縁と、前縁と後縁の間を連続させる円弧下縁と傾斜下縁とで画成された上方開放切欠部が設けられ、
一方、前記加圧部材は、前記カム係合縁の下側に係合する断面が略長方形のカム部と、前記上方開放切欠部内に遊合するピン部とが、交互に設けられており、カム係合縁とカム部の係合と、上方開放切欠部とピン部の遊合によって、加圧部材は、ＦＰＣ受入空洞へＦＰＣを挿入可能とする第１の位置と、挿入されたＦＰＣの接点とコンタクト片のコンタクト部を所定の接圧で係合させる第２の位置の間で姿勢変化が可能とされ、
この第１の位置から第２の位置への加圧部材の姿勢変化の過程では、カム係合縁とカム部の係合が、カム部の長辺の面から角部に移行すると共に、ピン部が上方開放切欠部内で、傾斜下縁に沿って円弧下縁側に移動するステップと、上方開放切欠部内で、ピン部が前縁に押し付けられて反力を受けると共に、この反力によってカム部の角部がカム係合縁に沿って後方へ移動するステップと、カム係合縁とカム部の係合が、カム部の角部から短辺の面に移行すると共に、ピン部が上方開放切欠部内で前縁に沿って上方に移動するステップが含まれるようにしたことを特徴とするＦＰＣ用コネクタである。
【００１２】
また、上記と同様のハウジングと、複数の端子と、加圧部材とを備えており、前記複数の端子が、ハウジングの上側壁の下側に沿って挿入端方向に延びて、先端部がＦＰＣ受入空洞に突出し、上方への変位が上側壁で制限されている上腕ビームを有しており、且つ、複数の端子のうちの偶数若しくは奇数極の端子の上腕ビームは、先端部下縁が挿入端方向へ延びるカム係合縁とされ、奇数若しくは偶数極の端子の上腕ビームは、先端部上縁に上方開放切欠部が設けられ、
一方、前記加圧部材は、前記カム係合縁の下側に係合する断面が略長方形のカム部と、前記上方開放切欠部内に遊合するピン部とが、交互に設けられており、カム係合縁とカム部の係合と、上方開放切欠部とピン部の遊合によって、加圧部材は、ＦＰＣ受入空洞へＦＰＣを挿入可能とする第１の位置と、挿入されたＦＰＣの接点とコンタクト片のコンタクト部を所定の接圧で係合させる第２の位置の間で姿勢変化が可能とされていると共に、
前記加圧部材は、ハウジングに対して上方への移動が、下側縁をカム係合縁とされた上腕ビームで制限され、ハウジングに対して前後および下方への移動が、上側縁に上方解放切欠部を設けた上腕ビームで制限され、第１の位置と第２の位置の間における姿勢変化の際にハウジングから脱落しないようにされていることを特徴とするＦＰＣ用コネクタである。
【００１３】
更には、上記と同様のハウジングと、複数の端子と、加圧部材とを備えており、前記複数の端子が、ハウジングの上側壁の下側に沿って挿入端方向に延びて、先端部がＦＰＣ受入空洞に突出し、上方への変位が上側壁で制限されている上腕ビームを有しており、且つ、複数の端子のうちの偶数若しくは奇数極の端子の上腕ビームは、先端部下縁が挿入端方向へ延びるカム係合縁とされ、奇数若しくは偶数極の端子の上腕ビームは、先端部上縁に上方開放切欠部が設けられ、
一方、前記加圧部材は、前記カム係合縁の下側に係合する断面が略長方形のカム部と、前記上方開放切欠部内に遊合するピン部とが、交互に設けられており、カム係合縁とカム部の係合と、上方開放切欠部とピン部の遊合によって、加圧部材は、ＦＰＣ受入空洞へＦＰＣを挿入可能とする第１の位置と、挿入されたＦＰＣの接点とコンタクト片のコンタクト部を所定の接圧で係合させる第２の位置の間で姿勢変化が可能とされていると共に、
前記加圧部材は、先端部に上方開放切欠部が形成された上腕ビームを有する端子がハウジングに装着された後に組み付けられ、且つ、先端部下縁をカム係合縁とした上腕ビームを有する端子は、加圧部材が組み付けられた後にハウジングに装着されており、加圧部材は嵌め合い状態となってハウジングから脱落しないようにされているＦＰＣ用コネクタである。
【００１４】
また、ＦＰＣ用コネクタの製造方法は、内部にＦＰＣ受入空洞が設けられたハウジングであって、挿入端および挿入端側上側にＦＰＣ受入空洞と連通する開口部が形成されたハウジングと、
ハウジングに所定のピッチの横並びで装着され、各々のコンタクト片が前記ＦＰＣ受入空洞に臨んでいる複数の端子と、
前記ＦＰＣ受入空洞に挿入されたＦＰＣの接点と前記コンタクト片のコンタクト部を所定の接圧で係合させるための加圧部材とを備えたＦＰＣ用コネクタの製造方法であって、
前記複数の端子は、ハウジングの上側壁の下側に沿って挿入端方向に延びて、先端部がＦＰＣ受入空洞に突出し、上方への変位が上側壁で制限される上腕ビームを有したものとし、且つ、複数の端子のうちの偶数若しくは奇数極の端子の上腕ビームは、先端部下縁を挿入端方向へ延びるカム係合縁とし、奇数若しくは偶数極の端子の上腕ビームは、先端部上縁に上方開放切欠部を設けたものとし、
一方、前記加圧部材は、前記カム係合縁の下側に係合する断面が略長方形のカム部と、前記上方開放切欠部内に遊合するピン部とが、交互に設けられたものとし、
前記上方開放切欠部が上腕ビームに設けられた端子がハウジングに装着された後に前記加圧部材が組み付けられ、加圧部材が組み付けられた後に下縁をカム係合縁とした上腕ビームを有する端子がハウジングに装着されることを特徴とするＦＰＣ用コネクタの製造方法である。
【００１５】
【作用】
このように構成されたこの発明のＦＰＣ用コネクタは、加圧部材とハウジングや端子の間に、回転軸と軸受部を設けない構成であるので、この点での製造管理の困難性を解消することができる。
ＦＰＣの接続に際し、加圧部材を第１の位置から第２の位置に姿勢変化させる時、加圧部材に設けた断面を略長方形としたカム部は、その長辺側の面がカム係合縁に係合した状態から、この長辺側の面に角部を挟んで隣り合う短辺側の面が係合する状態へと転がるように変位して、長辺および短辺の向きを変化させ、ＦＰＣの接点と端子のコンタクト部の間に必要な接圧が得られるようにする。端子の上腕ビームのカム係合縁と係合するカム部が、このように一つの面から角部を挟んで隣り合う面へと係合する面を変化させることで、係合面が変化する際に操作者に様々のクリック感を与え、また、加圧部材の意に反する姿勢変化を防止する。上記のようにカム部の向きが変化する時、加圧部材に設けたピン部は、上腕ビームの上方開放切欠部の中で、その位置を移動させるが、上腕ビームの先端方向である前方への移動は、上方開放切欠部を画成している前縁で制限される。即ち、上方開放切欠部の前縁がピン部の前方移動の限界を構成して、加圧部材が脱落するのを防止する。また、加圧部材は、カム係合縁が形成された上腕ビームと上方開放切欠部が形成された上腕ビームとによって、嵌め合い状態とされ、ハウジングから外れて脱落しないようにできる。
【００１６】
【発明の実施の形態】
以下、この発明の実施形態を添付の図を参照して説明する。
【００１７】
図１、２は、図３および図４〜図６に示したような外観をした実施形態のＦＰＣ用コネクタ１０の断面図を表している。このＦＰＣ用コネクタ１０は、絶縁性のプラスチックを成形したハウジング２０および加圧部材４０と、薄金属板を打ち抜いた２種類の端子６０Ａ、６０Ｂとを備えている。図１、２は、２種類の端子６０Ａ、６０Ｂのそれぞれに沿って示した断面図であり、ＦＰＣ８０が接続された状態で示されている。
【００１８】
ハウジング２０は、図１、２に表れているように、上側壁２１と下側壁２２を有し、これらの間にＦＰＣ受入空洞２３を画成している。ＦＰＣ受入空洞２３は、図１、２において左側である前端に形成された開口部２４と連通し、この前端を挿入端２５としてＦＰＣ８０をＦＰＣ受入空洞２３に挿入できるようにしている。また、この挿入端２５側の上部にもＦＰＣ受入空洞２３に連通する開口部２６が形成されるように、前記上側壁２１は下側壁２２に比べて短くされている。この開口部２６は、加圧部材４０と端子６０Ａ、６０Ｂとを係合させる目的で形成されている。
【００１９】
ハウジング２０に２種類の端子６０Ａ、６０Ｂがハウジング２０の長手方向（図４の左右方向）に所定のピッチの横並びで交互に装着されている。図示した実施形態では、図１に示されている端子６０Ａが、図３で左側から数えて偶数番目の極（偶数極）となり、図２に示されている端子６０Ｂが奇数番目の極（奇数極）となるようにしている。尚、端子６０Ａを奇数極とし、端子６０Ｂを偶数極としてもかまわない。
【００２０】
各端子６０Ａ、６０Ｂの形状を説明すると、偶数極の端子６０Ａは、図１に示されているように、ハウジング２０の後端２７側から装着できるように形成され、ハウジング２０の上側壁２１と下側壁２２の間に配置される基板部６１の上部に、上側壁２１の下側に沿って延びる上腕ビーム６２が設けられている。この上腕ビーム６２は、先端部が上側壁２１の前縁を越えて前記開口部２６へ延びてＦＰＣ受入空洞２３へ突出する長さを有している。上側壁２１の下側に沿って延びることで上方への変位が上側壁２１で制限されている。上腕ビーム６２の基部下縁からクランク形状のスプリングビーム６３が垂下し、このスプリングビーム６３から長いコンタクト片６４と短いコンタクト片６５で二股状としたコンタクトが延び、端子６０Ａをハウジング２０に装着した時、各コンタクト片６４、６５が前記ＦＰＣ受入空洞２３に臨むようにしてある。基板部６１の後縁下部からは半田テイル６６が斜め下方に延びている。
【００２１】
奇数極の端子６０Ｂは、図２に示されているように、ハウジング２０の挿入端２５側から装着できるように形成されている。ハウジング２０の下側壁２２の上側に沿って延びる下腕ビーム６７と、ハウジング２０の上側壁２１の下側に沿って延びる上腕ビーム６８が連結ビーム６９で連結されて略横Ｕ字状に形成されている。下腕ビーム６７がハウジング２０の前後方向の幅に比べて長いのに対して、上腕ビーム６８は先端部が上側壁２１の前縁を越えて開口部２６へ延びてＦＰＣ受入空洞２３に突出する長さとされている。端子６０Ａの上腕ビーム６２と同様に、上側壁２１の下側に沿って延びることで上方への変位が上側壁２１で制限されている。上腕ビーム６８の基部下縁から、偶数極の端子６０Ａと同様に、スプリングビーム７０が垂下し、そして、スプリングビーム７０から長いコンタクト片７１と短いコンタクト片７２を備えたコンタクトが延びている。このコンタクトもハウジング２０のＦＰＣ受入空洞２３に臨むようにしてある。前記下腕ビーム６７の前端下縁には半田テイル７３が設けられている。
【００２２】
偶数極の端子６０Ａのコンタクトと、奇数極の端子６０Ｂのコンタクトは、互いに同じレベルで交互に並んでＦＰＣ受入空洞２３に臨むようになっている。長いコンタクト片６４、７１の先端上縁にはコンタクト部６４ａ、７１ａがそれぞれ突出形成してあり、ＦＰＣ８０の下面に設けられる接点（図示せず）と対向できるようにしてある。また、短いコンタクト片６５、７２の先端下縁にも、コンタクト部６５ａ、７２ａが突出形成してあり、ＦＰＣ８０の上面に設けられる接点（図示せず）と対向できるようにしてある。長いコンタクト片６４、７１に形成したコンタクト部６４ａ、７１ａは、ＦＰＣ受入空洞２３内で千鳥状に配置されるようにしてある。短いコンタクト片６５、７２に形成したコンタクト部６５ａ、７２ａも同様で、千鳥状に配置されるようにしてある。
【００２３】
加圧部材４０は、図３〜図６を参照して説明すると、ハウジング２０の上側壁２１を略覆う大きさの方形板状の本体部４１の前縁から係合部４２が下方に向って弧状に連続していると共に、本体部４１の両側に側板部４３が垂下している。本体部４１、係合部４２、側板部４３は一体となっている。係合部４２がハウジング２０の上側壁２１の前方に形成した開口部２６を通してＦＰＣ受入空洞２３の中に突入して、端子６０Ａ、６０Ｂの各上腕ビーム６２、６８と係合させてある。この係合の為に、偶数極の端子６０Ａの上腕ビーム６２に対応させて図１に表れているように窓孔４４が係合部４２を貫通して形成され、窓孔４４を通して上腕ビーム６２の先端部が前方に延びるようにしてある。また、奇数極の端子６０Ｂの上腕ビーム６８に対応させて図２に表れているように収容溝４５が係合部４２に形成され、収容溝４５の中に上腕ビーム６８の先端部が延びるようにしてある。
【００２４】
偶数極の端子６０Ａと加圧部材４０の係合は、挿入端２５の方向に略水平となって延びている、端子６０Ａの上腕ビーム６２の先端部下縁をカム係合縁６２ａとして、このカム係合縁６２ａと前記窓孔４４の下側に隣接させて設けたカム部４６で形成されている。カム部４６は断面が略長方形の形状をしており、短辺の面４６ａや長辺の面４６ｂ或は両面間の角部４６ｃがカム係合縁６２ａに係合するようにしている。
【００２５】
奇数極の端子６０Ｂと加圧部材４０の係合は、端子６０Ｂの上腕ビーム６８の先端部に形成した上方開放切欠部７４と、加圧部材４０の係合部４２に形成した収容溝４５に横設したピン部４７で形成されている。ピン部４７を上方開放切欠部７４の中に収容して係合させてある。上方開放切欠部７４は、図１７にも示してあるように、略垂直の前縁７４ａと略垂直の後縁７４ｄと、前縁７４ａと後縁７４ｄの間を連続させる円弧下縁７４ｂと傾斜下縁７４ｃで画成されている。前縁７４ａと後縁７４ｄの幅がピン部４７の径に比べて大きくされて、ピン部４７と上方開放切欠部７４は遊合状態で係合しており、ピン部４７は上方開放切欠部７４の中で、前後方向および上下方向で移動が可能となっている。加圧部材４０の操作によってカム部４６の短辺の面４６ａおよび長辺の面４６ｂの方向が変化する時、ピン部４７の位置が前後および上下の方向で移動できるようにしたものである。
【００２６】
更に、加圧部材４０のカム部４６が係合している偶数極の端子６０Ａの上腕ビーム６２のカム係合縁６２ａには肩部６２ｂが形成されており、カム部４６の長辺の面４６ｂは、肩部６２ｂを有するカム係合縁６２ａの形状に対応させて、段部４８が形成されている。
【００２７】
加圧部材４０の係合部４２と端子６０Ａ、６０Ｂの上腕ビーム６２、６８を上記のように係合させることで、加圧部材４０は、図７、８に示したハウジング２０に略垂直の位置、即ち、挿入端２５の開口部２４を通してＦＰＣ８０をＦＰＣ受入空洞２３に挿入可能とする第１の位置と、図１、２に示したハウジング２０に略平行の位置、即ち、ＦＰＣ受入空洞２３に挿入されたＦＰＣ８０の接点と端子６０Ａ、６０Ｂのコンタクト片６４、６５、７１、７２に設けられたコンタクト部６４ａ、６５ａ、７１ａ、７２ａを所定の接圧で加圧係合させる第２の位置の間で姿勢変化することが可能となっている。以下、この加圧部材４０の姿勢変化に伴うカム部４６、ピン部４７の動作と加圧係合の様子について図１、２、７、８と、姿勢変化の途中を表している図９〜１６を参照して説明する。
【００２８】
加圧部材４０の姿勢を図７、８の第１の位置にすると、カム部４６はその長辺の面４６ｂが偶数極の端子６０Ａの上腕ビーム６２のカム係合縁６２ａに係合するように変位すると共に、コンタクト片６４、６５およびコンタクト片７１、７２の間を開放するようになっている。図７において、ｃｘ０は、この時のカム部４６の角部４６ｃの前後方向における位置（原点位置）の座標を表している。奇数極の端子６０Ｂの上腕ビーム６８に形成した上方開放切欠部７４に遊合させた加圧部材４０のピン部４７は、この時、傾斜下縁７４ｃと係合する位置を取るようになっている。図８において、ｐｘ０はピン部４７の前後方向における位置（原点位置）、ｐｙ０は上下方向の位置（原点位置）の座標を表している。
【００２９】
加圧部材４０の姿勢をこのように第１の位置にすると、ＦＰＣ受入空洞２３へＦＰＣ８０を挿入抵抗の無いゼロ挿入力で挿入することができる。端子６０Ａのコンタクト片６４、６５の対向間隔および端子６０Ｂのコンタクト片７１、７２の対向間隔がＦＰＣ８０の厚さよりも広くされているためである。つまり、各コンタクト片に沿ってＦＰＣ８０をゼロ挿入力で挿入できる間隙が形成されているのである。ＦＰＣ８０をＦＰＣ受入空洞２３に臨んでいる端子６０Ａのコンタクト片６４、６５の間および端子６０Ｂのコンタクト片７１、７２の間に挿入し、上下面の接点とコンタクト部６４ａ、６５ａ、７１ａ、７２ａを１対１の関係で対向させることができる。各端子６０Ａ、６０Ｂの短いコンタクト片６５、７２のコンタクト部６５ａ、７２ａと接点の対向部は、ＦＰＣ受入空洞２３で各端子６０Ａ、６０Ｂの間に設けられている隔壁２８の上縁でバックアップされる。
【００３０】
ＦＰＣ８０を挿入した後、加圧部材４０を図１、２の第２の位置まで姿勢変化させると、その間において、図９、１０〜図１５、１６のような姿勢に順次変化して最後に図１、２の第２の位置の姿勢に変化する。図９、１０は、加圧部材４０がハウジング２０に対して約７０度の角度をなしている姿勢の時を表している。同様に、図１１、１２は約４５度の姿勢、図１３、１４は約３０度の姿勢、図１５、１６は約１５度の姿勢を表している。このような姿勢変化に伴って、加圧部材４０のカム部４６も各図に表れているように、その短辺の面４６ａと長辺の面４６ｂの向きを順次変化させていく。そして、加圧部材４０のピン部４７も上方開放切欠部７４内で図のように移動していく。
【００３１】
カム部４６のこのような向きの変化は、偶数極の端子６０Ａに設けた上腕ビーム６２のカム係合縁６２ａと長辺の面４６ｂの係合から角部４６ｃの係合へと移行し、この係合部を起点としてはじめのステップが進行する。したがって、ピン部４７はその位置を上方開放切欠部７４内で移動させることになる。即ち、図１０に表れているように、ピン部４７は上方開放切欠部７４の傾斜下縁７４ｃを下るように前方へ移動して円弧下縁７４ｂと係合するように変化する。ピン部４７は前方にΔｐｘ１、下方にΔｐｙ１移動して、ｐｘ１、ｐｙ１の位置に中心を移動させる。ピン部４７が円弧下縁７４ｂと係合する位置（ｐｘ１、ｐｙ１）まで移動すると、ピン部４７は前縁７４ａとも係合することとなり、それ以上前方への移動は停止される。前縁７４ａがピン部４７の前方への移動の限界を構成する。また、この前縁７４ａとピン部４７の係合によって、加圧部材４０が姿勢変化の際に端子６０Ａ、６０Ｂとの係合が外れて脱落するのを防止する。
【００３２】
上記のようなステップを経て、ピン部４７が上方開放切欠部７４の前縁７４ａと係合して前方への移動が停止した後は、加圧部材４０の姿勢変化に伴ってピン部４７は前縁７４ａに押し付けられるので、前縁７４ａからピン部４７に反力が作用することになる。この反力を受けるステップでは、カム部４６の角部４６ｃと上腕ビーム６２のカム係合縁６２ａの係合部が後方に移動しながらカム部４６の向きの変化が進行することになる。加圧部材４０の姿勢がハウジング２０に対して約４５度の角度をなしている図１１、１２の段階では、カム部４６の角部４６ｃは後方にΔｃｘ１移動してｃｘ１の位置に移動する。ピン部４７は図１０の位置と同じでｐｘ１、ｐｙ１に位置している。加圧部材４０の姿勢がハウジング２０に対して約３０度の角度をなしている図１３、１４の段階では、カム部４６の角部４６ｃは後方へΔｃｘ２移動してｃｘ２の位置に移動する。ピン部４７はｐｘ１、ｐｙ１に位置している。加圧部材４０の姿勢がハウジング２０に対して約１５度の角度をなしている図１５、１６の段階では、カム部４６の角部４６ｃは後方へΔｃｘ３移動してｃｘ３の位置に移動する。ピン部４７は上方開放切欠部７４の前縁７４ａに沿って上方に僅かに移動してｐｙ０からΔｐｙ２離れたｐｘ１、ｐｙ２の位置に移動する。
【００３３】
上腕ビーム６２のカム係合縁６２ａに形成した肩部６２ｂは、カム部４６の角部４６ｃとカム係合縁６２ａの係合部が後方へ移動する限界を構成し、また、加圧部材４０の姿勢変化の際の後方移動の限界も構成している。もっとも、ピン部４７が上方開放切欠部７４の前縁７４ａと係合して前方への移動が制限されているので、肩部６２ａの位置は、カム部４６の角部４６ｃと上腕ビーム６２のカム係合縁６２ａとの係合部の移動範囲を確保できる位置とされていることは言うまでもない。
【００３４】
このようなカム部４６がその短辺と長辺の向きを変化させ、また、ピン部４７が上方開放切欠部７４内で移動する過程で、加圧部材４０のＦＰＣ受入空洞２３に突入している係合部４２の端面は、ＦＰＣ受入空洞２３内において、ＦＰＣ８０の上面と当接してＦＰＣ８０を押し下げる、加圧面４９として働く。カム部４６と端子６０Ａの上腕ビーム６２のカム係合縁６２ａとが係合しているので、加圧部材４０は上方に移動することはできない。このため、加圧面４９はＦＰＣ８０を端子６０Ａ、６０Ｂの長いコンタクト片６４、７１へと押圧付勢して、各コンタクト片６４、７１を下方に弾性変形させて、コンタクト部６４ａ、７１ａとＦＰＣ８０の接点を適度の接圧で加圧係合させる。長いコンタクト片６４、７１が下方に弾性変形を受けると、それぞれに一体の短いコンタクト片６５、７２も下方へ追従させるので、隔壁２８でバックアップされているＦＰＣ８０の接点とコンタクト部６５ａ、７２ａも適度の接圧で加圧係合させることができる。
【００３５】
加圧部材４０の加圧面４９がＦＰＣ８０を介して長いコンタクト片６４、７１を弾性変形させ、また、短いコンタクト片６５、７２も間接的に弾性変形させると、その反力が加圧部材４０に作用することになる。この反力は、カム部４６が図１８のように、角部４６ｃとこれに対向する角部を結ぶ対角線が垂直方向に向いた時（図１３、１４に示した、加圧部材４０がハウジング２０に対して約３０度の角度をなした時）に最大となる。この最大の反力はカム部４６のもう一対の角部に表れるモーメントｆ１、ｆ２（図１８）も最大とする。したがって、加圧部材４０が図１３、１４の段階まで姿勢変化した後は、一気に図１５、１６の段階を経て図１、２の第２の位置まで姿勢変化するのが助長される。しかも、第２の位置まで姿勢変化をすると、カム部４６の短辺の面４６ａが上腕ビーム６２のカム係合縁６２ａに係合して、それ以上の姿勢変化を急激に停止させる。
【００３６】
加圧部材４０が第２の位置まで姿勢を変化し、カム係合縁６２ａとカム部４６の係合が、角部４６ｃから短辺の面４６ａに移行するステップが終わると、カム４６の角部４６ｃは図１に示されているように、原点ｃｘ０からΔｃｘ４離れたｃｘ４の位置に移動する。カム係合縁６２ａに形成した肩部６２ｂの近くである。また、ピン部４７は、ｐｘ１、ｐｙ２の位置から更に前縁７４ａに沿って上昇して円弧下縁７４ｂから離れ、ｐｘ１、ｐｙ０の位置に移動する。
【００３７】
多段クリックの説明のために加圧部材４０が第１の位置から第２の位置へ姿勢変化する様子を３つのステップに亘って説明した。加圧部材４０を操作する者には、各ステップで異なった感触を与える。即ち、はじめのステップは、それほどの抵抗を受けることなく操作できるのに対し、中間のステップでは、カム部４６の角部４６ｃがカム係合縁６２ａをこすりながら移動するため、はじめのステップに比べてやや大きい抵抗を感じるようになる。そして、最後のステップでは、コンタクト片の反力で姿勢変化に勢いが与えられる。この結果、加圧部材４０を姿勢変化させてＦＰＣ８０を接続する際には、多段階の確かなクリック感を与え、接続の完成をはっきりと認識することができる。
【００３８】
このようにしてＦＰＣ８０が接続された後は、カム部４６の短辺の面４６ａと上腕ビーム６２のカム係合縁６２ａが係合している状態から、角部４６ｃが上腕ビーム６２の下側縁と係合する状態へ変化させるには、端子６０Ａ、６０Ｂのコンタクト側からの反力が作用している条件で、比較的大きな力を必要とする。したがって、ＦＰＣ８０の引き回し等によって加圧部材４０が意に反して第１の位置に向って姿勢変化するのを確実に防止することができる。接続状態がこのように確実に維持されるので、接続の信頼性を向上することができる。接続を解除する場合は、加圧部材４０に端子６０Ａ、６０Ｂのコンタクトからの反力に打ち勝つ力を与えて、第１の位置へ向かって姿勢変化させることになる。この時、カム部４６とピン部４７は前記と逆の経過をたどって、向きを変化させ、また、移動をする。
【００３９】
加圧部材４０が姿勢変化する時、ピン部４７が一点に固定されないように、前記上方開放切欠部７４の底部に傾斜下縁７４ｃを含んでいることが重要である。カム部４６が角部４６ｃを基点として向きを変化させる時、ピン部４７が前方下方に移動できるようにするためである。ここで、もし、ピン部４７が一点に固定されて（固定された回転軸とされて）、加圧部材４０がピン部４７を中心として回動するように構成したとすると、カム部４６の角部４６ｃは、図１９のようにカム係合縁６２ａと競り合うことになる。したがって、この場合、加圧部材４０を回動させることが不可能である。カム係合縁６２ａが形成されている上腕ビーム６２が、ハウジング２０の上側壁２１によって上方への変位を制限されているためである。もっとも、加圧部材４０を無理矢理回動させることは可能であるが、カム部４６の早期の磨耗を招くことになる。
【００４０】
図２０は、他の実施形態のカム部４６の断面を表している。このように、カム部４６の上腕ビーム６２のカム係合縁６２ａと係合することになる長辺の面４６ｂは、平坦面５０とテーパー面５１で構成して、肩部６２ｂを形成した上腕ビーム６２の下側縁の形状に対応させることもできる。
【００４１】
尚、先の実施形態において、ハウジング２０の両側には金属製のネイル１００が装着してある。このネイル１００は、図２１、２２に示すように、ハウジング２０と係合する装着片１０１と、ハウジング２０の外側に延びる係合片１０２が連結底片１０３で連続している。前記加圧部材４０の側板部４３は、ハウジング２０とこのネイル１００の係合片１０２の間隙に挟まれるように配置されている。
【００４２】
ネイル１００の係合片１０２には、突条１０４が内側に突出するようにして長手方向で設けてある。一方、加圧部材４０の側板部４３の外面には、図１６に示したように、突条１０４を収容できる凹入溝５２と、突条１０４と係合する段部５３が設けてある。加圧部材４０を第２の位置にすると、突条１０４と段部５３が係合して、ここでも加圧部材４０の第１の位置に向かう意に反する姿勢変化が起こらないようにしている。
【００４３】
図２４〜図２８に、図３に示した完成品が得られるまでの製造方法が示されている。はじめに、図２４のように、ハウジング２０の挿入端２５側から奇数極の端子６０Ｂを装着する。次に、図２５と２６のように、端子６０Ｂが装着されているハウジング２０に加圧部材４０を組み付ける。加圧部材４０は本体部４１をハウジング２０と略平行にして、上方から組み付ける。加圧部材４０を組み付けると、ピン部４７が端子６０Ｂの上腕ビーム６８に設けた上方開放切欠部７４内に収容される（図２参照）。
【００４４】
加圧部材４０を組み付けた後に、図２７のように、ハウジング２０の後端２７から偶数極の端子６０Ａを装着する。端子６０Ａを装着すると、上腕ビーム６２の先端部がカム部４６の上部の窓孔４４に突入する（図１参照）。上腕ビーム６２の先端部下縁の、挿入端２５の方向に向かって略水平に延びているカム係合縁６２ａが、カム部４６の短辺の面４６ａの上に延びて、カム部４６と係合するようになる。最後に、図２８のように、ネイル１００をハウジング２０に挿入端２５側から装着することで、図３に示されているＦＰＣ用コネクタ１０が完成する。
【００４５】
完成したＦＰＣ用コネクタでは、カム部４６がカム係合縁６２Ａの下側に係合しているため、加圧部材４０の上方への移動が制限されることになる。また、ピン部４７が上方開放切欠部７４に遊合しているため、加圧部材４０の前後および下方への移動が制限されることになる。つまり、完成したＦＰＣ用コネクタ１０においては、加圧部材４０は、いわば嵌め合いの状態となって、組み付け状態の解除はもはや不可能となるのである。この結果、加圧部材４０が第１の位置と第２の位置の間で姿勢変化する時、ＦＰＣ受入空洞２３にＦＰＣ８０が挿入されていると否とにかかわらず、ハウジング２０から外れて脱落することは皆無である。
【００４６】
図２９（ａ）、（ｂ）には更に別の実施形態のＦＰＣ用コネクタ２００が示されている。この実施形態のＦＰＣ用コネクタ２００は、偶数極の端子２６０Ａおよび奇数極の端子２６０Ｂの形状が先の実施形態と異なっており、他の部分は先の実施形態と同様に構成されている。したがって、先の実施形態と同一の部材には同一の符号を付して詳細な説明は省略する。
【００４７】
先の実施形態の端子６０Ａ、６０Ｂは、長いコンタクト片６４、７１のコンタクト部６４ａ、７１ａおよび短いコンタクト片６５、７２のコンタクト部６５ａ、７２ａがＦＰＣ受入空洞２３において千鳥状に配置される構成であった。これに対して、図２９に示した実施形態では、コンタクト部が千鳥配置ではなく一直線に並ぶようにしている。即ち、偶数極の端子２６０Ａのコンタクトを構成している長いコンタクト片２６４の先端上縁に形成したコンタクト部２６４ａと奇数極の端子２６０Ｂのコンタクトを構成している長いコンタクト片２７１の先端上縁に形成したコンタクト部２７１ａがＦＰＣ受入空洞２３内で、図の紙面に垂直の方向で一直線に並ぶように構成されている。短いコンタクト片２６５、２７２も同様で、偶数極の端子２６０Ａの短いコンタクト片２６５の先端下縁に形成したコンタクト部２６５ａと、奇数極の端子２６０Ｂの短いコンタクト片２７２の先端下縁に形成したコンタクト部２７２ａが、ＦＰＣ受入空洞２３内で、図の紙面に垂直の方向で一直線に並ぶように構成されている。
【００４８】
先の実施形態のＦＰＣ用コネクタ１０に接続するＦＰＣ８０では、その接点を上面および下面でそれぞれ千鳥配置の形態とするのに対し、この図２９の実施形態のＦＰＣ用コネクタ２００に接続するＦＰＣでは、その接点を上面および下面でそれぞれ一直線に配置することになる。
【００４９】
また、奇数極の端子２６０Ｂは、ハウジング２０の後端２７側から装着できるように形成されている。したがって、下腕ビームを有することなく、基板部２６９の上部前縁から上腕ビーム２６８が延び、また、半田テイル２７３は基板部２６９の後縁下部から斜め下方に延びている。偶数極の端子２６０Ａの半田テイル２６６と奇数極の端子２６０Ｂの半田テイル２７３も一直線に並列するようにしている。
【００５０】
各端子２６０Ａ、２６０Ｂの上腕ビーム２６２、２６８と加圧部材４０の係合構造は先の実施形態と同一である。したがって、加圧部材４０の姿勢変化におけるカム部４５およびピン部４７の動作は前記と同様であり、この実施形態においても接続の完了を確かなクリック間で認識させることができ、また、接続状態の意に反する解除を回避して信頼性を向上することができる。製造方法も同様であり、ハウジング２０に端子２６０Ｂを装着した後、加圧部材４０を組み付け、その後に端子２６０ａを装着して完成品を得ることができ、そして、加圧部材４０を嵌め合い状態とすることができる。
【００５１】
尚、実施形態で示したＦＰＣ用コネクタ１０、２００は、ハウジング２０の下側壁２２をプリント回路基板（図示せず）に略平行に対向させて実装する、いわゆるライトアングルタイプのものであるが、下側壁２２および上側壁２１をプリント回路基板に対して略垂直として実装するタイプとして実施することもできる。
【００５２】
【発明の効果】
以上に説明の通り、この発明のＦＰＣ用コネクタでは、加圧部材の断面を略長方形としたカム部と上腕ビームのカム係合縁を係合させ、また、ピン部を上腕ビームの上方開放切欠部に遊合させて前後および上下の方向で移動可能に構成して加圧部材の第１の位置と第２の位置の間の姿勢変化を可能とし、一定の位置に配置される回動軸と軸受部を備えていない構成としたので、製造上の管理を容易にし、しかも、確かなクリック感を与えて操作上の認識性を向上し、また、加圧部材の意に反する姿勢変化を困難にして接続の信頼性を向上でき、さらには、加圧部剤を嵌め合いの状態にしてＦＰＣが挿入されているか否かにかかわらずハウジングから外れて脱落しないようにできるなどの優れた効果がある。
【図面の簡単な説明】
【図１】この発明の実施形態の、加圧部材が第２の位置にある時の、偶数極の端子に沿って示した、一部拡大図を伴う断面図である。
【図２】同じく、実施形態の、加圧部材が第２の位置にある時の、奇数極の端子に沿って示した一部拡大図を伴う断面図である。
【図３】この発明の実施形態の斜視図である。
【図４】この発明の実施形態の平面図である。
【図５】この発明の実施形態の正面図である。
【図６】この発明の実施形態の側面図である。
【図７】この発明の実施形態の、加圧部材が第１の位置にある時の、偶数極の端子に沿って示した一部拡大図を伴う断面図である。
【図８】同じく、実施形態の、加圧部材が第１の位置にある時の、奇数極の端子に沿って示した一部拡大図を伴う断面図である。
【図９】加圧部材が第１の位置から第２の位置へ姿勢変化する時の中間段階の、偶数極の端子に沿って示した一部拡大図を伴う断面図である。
【図１０】同じく、加圧部材が第１の位置から第２の位置へ姿勢変化する時の中間段階の、奇数極の端子に沿って示した一部拡大図を伴う断面図である。
【図１１】図９から更に進んだ中間段階の、偶数極の端子に沿って示した一部拡大図を伴う断面図である。
【図１２】同じく、図１０から更に進んだ中間段階の、奇数極の端子に沿って示した一部拡大図を伴う断面図である。
【図１３】図１１から更に進んだ中間段階の、偶数極の端子に沿って示した一部拡大図を伴う断面図である。
【図１４】同じく、図１２から更に進んだ中間段階の、奇数極の端子に沿って示した一部拡大図を伴う断面図である。
【図１５】図１３から更に進んだ中間段階の、偶数極の端子に沿って示した一部拡大図を伴う断面図である。
【図１６】同じく、図１４から更に進んだ中間段階の、奇数極の端子に沿って示した一部拡大図を伴う断面図である。
【図１７】奇数極の端子の上腕ビームに形成した上方開放切欠部の拡大図である。
【図１８】カム部に働くモーメントを説明する図である。
【図１９】ピン部が固定された回動軸とされる場合を説明する一部拡大図を伴う断面図である。
【図２０】この発明の他の実施形態のカム部の断面図である。
【図２１】この発明の実施形態のネイルの正面図である。
【図２２】同じくネイルの底面図である。
【図２３】この発明の実施形態の加圧部材の側面図である。
【図２４】この発明の実施形態の製造方法を説明する図で、奇数極の端子を装着する工程の斜視図である。
【図２５】同じく、加圧部材を組み付ける工程の斜視図である。
【図２６】同じく、加圧部材の組付けを完了した状態の斜視図である。
【図２７】同じく、偶数極の端子を装着する工程の斜視図である。
【図２８】同じく、ネイルを装着する工程の斜視図である。
【図２９】この発明の別の実施形態の断面図で、（ａ）は偶数極の端子に沿って示した断面図、（ｂ）は奇数極の端子に沿って示した断面図である。
【図３０】従来のＦＰＣ用コネクタの上方斜視図である。
【図３１】従来のＦＰＣ用コネクタの下方斜視図である。
【図３２】従来のＦＰＣ用コネクタの断面図である。
【図３３】従来の別のＦＰＣ用コネクタの分解斜視図である。
【図３４】従来の別のＦＰＣ用コネクタの断面図である。
【図３５】従来の更に別のＦＰＣ用コネクタの分解斜視図である。
【図３６】従来の更に別のＦＰＣ用コネクタの断面図である。
【符号の説明】
１０、２００　ＦＰＣ用コネクタ
２０　　　　　ハウジング
２１　　　　　上側壁
２３　　　　　ＦＰＣ受入空洞
２４、２６　　開口部
４０　　　　　加圧部材
４２　　　　　係合部
４６　　　　　カム部
４６ａ　　　　カム部の短辺の面
４６ｂ　　　　カム部の長辺の面
４６ｃ　　　　カム部の角部
４７　　　　　ピン部
４８　　　　　段部
４９　　　　　加圧面
６０Ａ、２６０Ａ　　偶数極の端子
６０Ｂ、２６０Ｂ　　奇数極の端子
６２、２６２　　　　上腕ビーム
６２ａ　　　　　　　カム係合縁
６２ｂ　　　　　　　肩部
６４、２６４　　　　コンタクト片
６４ａ、２６４ａ　　コンタクト部
６５、２６５　　　　コンタクト片
６５ａ、２６５ａ　　コンタクト部
６８、２６８　　　　上腕ビーム
７１、２７１　　　　コンタクト片
７１ａ、２７１ａ　　コンタクト部
７２、２７２　　　　コンタクト片
７２ａ、２７２ａ　　コンタクト部
７４　　　　　上方開放切欠部
７４ａ　　　　前縁
７４ｂ　　　　円弧下縁
７４ｃ　　　　傾斜下縁
７４ｄ　　　　後縁
８０　　　　　ＦＰＣ